(57)【特許請求の範囲】
【請求項１】
アンテナを介して受信したＯＦＤＭ信号から、選局された周波数帯域のＯＦＤＭ信号をそれぞれ取り出す複数のチューナ部と、
前記複数のチューナ部から入手した複数のＯＦＤＭ信号に対し、それぞれ復調処理を行う複数の復調処理部と、
前記複数の復調処理部から出力される等化処理後の信号を入手し、重み付け比を算出した上で信号の合成を行うダイバーシティ合成処理部と、
前記ダイバーシティ合成結果に対し、復号処理を行う復号処理部と、
前記復号処理部より出力される複数のＴＳパケットデータの処理を行うＴＳ処理部とを備え、
第１の周波数帯のＯＦＤＭ信号を取り出す２以上のチューナ部と当該チューナ部に対応する復調処理部とを含む第１の受信系統と、前記第１の周波数帯とは異なる第２の周波数帯のＯＦＤＭ信号を取り出す２以上のチューナ部と当該チューナ部に対応する復調処理部とを含む第２の受信系統の少なくとも２つの受信系統とを有し、
前記ダイバーシティ合成処理部は、前記第１の受信系統の復調処理部から出力される複数の信号を合成して第１の合成信号を出力し、前記第２の受信系統の復調処理部から出力される複数の信号を合成して第２の合成信号を出力し、
前記復号処理部は、前記第１の合成信号および前記第２の合成信号各々に対して、前記復号処理を行い、
前記ＴＳ処理部は、
前記２つの受信系統から入手するＴＳパケットデータ間の入手タイミング差を算出し、前記算出した入手タイミング差を前記ダイバーシティ合成処理部にフィードバックし、
前記ダイバーシティ合成処理部は、更に、前記フィードバックされたＴＳパケットデータの入手タイミング差の情報を用いて、前記第１の受信系統の複数のＯＦＤＭ信号と前記第２の受信系統の複数のＯＦＤＭ信号との間の入手タイミング差を補正した上で第１の受信系統の複数のＯＦＤＭ信号と第２の受信系統の複数のＯＦＤＭ信号を合成して出力する
ことを特徴とするデジタル放送受信装置。
【請求項２】
前記ＴＳ処理部は、前記２つの受信系統から入手したＴＳパケットデータの各タイミング情報を検出する検出部と、
前記検出部により検出されたタイミング情報に基づいて、入力されたＴＳパケットデータの少なくともいずれか一方の遅延調整を行う遅延調整処理部と、
前記遅延調整処理部により遅延調整が行われたＴＳパケットデータに基づいて、前記第１の合成信号に基づくＴＳパケットデータと前記第２の合成信号に基づくＴＳパケットデータとのうち表示処理部に出力するＴＳパケットデータを選択する選択処理部とを備える
ことを特徴とする請求項１に記載のデジタル放送受信装置。
【請求項３】
前記タイミング情報は、
前記複数のＴＳパケットデータに含まれる、パケットに付与されたカウンタであるコンティヌイティカウンタ（Ｃｏｎｔｉｎｕｉｔｙ  Ｃｏｕｎｔｅｒ）であることを特徴とする請求項２記載のデジタル放送受信装置。
【請求項４】
前記ＴＳ処理部では、ＴＳパケットデータ間のタイミング差がＯＦＤＭフレーム長以下であるかを判定し、
前記ダイバーシティ合成処理部では、入手した信号の受信タイミング差がＯＦＤＭフレーム長より短いタイミング差に収まるか否かの情報を得て、信号の受信タイミング差がＯＦＤＭフレーム長より短ければシンボルおよびキャリア単位で信号の受信タイミング差を調整した上で合成処理を行うことを特徴とする請求項１記載のデジタル放送受信装置。
【請求項５】
複数のチューナ部において、アンテナを介して受信したＯＦＤＭ信号から、選局された周波数帯域のＯＦＤＭ信号をそれぞれ取り出すチューニングステップと、
複数の復調処理部において、前記複数のチューナ部から入手した複数のＯＦＤＭ信号に対し、それぞれ復調処理を行う復調処理ステップと、
前記複数の復調処理部から出力される等化処理後の信号を入手し、重み付け比を算出した上で信号の合成を行うダイバーシティ合成処理ステップと、
前記ダイバーシティ合成結果に対し、復号処理を行う復号処理ステップと、
ＴＳ処理部において前記復号処理部より出力される複数のＴＳパケットデータの処理を行うＴＳ処理ステップと含むデジタル放送受信方法であって、
第１の周波数帯のＯＦＤＭ信号を取り出す２以上のチューナ部と当該チューナ部に対応する前記復調処理を行う第１の受信系統と、前記第１の周波数帯とは異なる第２の周波数帯のＯＦＤＭ信号を取り出す２以上のチューナ部と当該チューナ部に対応する前記復調処理を行う第２の受信系統の少なくとも２つの受信系統とを有し、
前記ダイバーシティ合成処理ステップにおいては、前記第１の受信系統の復調処理により得られる複数の信号を合成して第１の合成信号を出力し、かつ、前記第２の受信系統の復調処理により得られる複数の信号を合成して第２の合成信号を出力し、
前記復号処理ステップにおいては、前記第１の合成信号および前記第２の合成信号各々に対して、前記復号処理を行い、
前記ＴＳ処理ステップでは、
前記２つの受信系統から入手するＴＳパケットデータ間の入手タイミング差を算出し、前記算出した入手タイミング差を前記ダイバーシティ合成処理ステップにフィードバックし、
前記ダイバーシティ合成処理ステップでは、更に、前記フィードバックされたＴＳパケットデータの入手タイミング差の情報を用いて、前記第１の受信系統の複数のＯＦＤＭ信号と前記第２の受信系統の複数のＯＦＤＭ信号との間の入手タイミング差を補正した上で第１の受信系統の複数のＯＦＤＭ信号と第２の受信系統の複数のＯＦＤＭ信号を合成して出力する
ことを特徴とするデジタル放送受信方法。
【発明の詳細な説明】
【技術分野】
【０００１】
本発明は、地上デジタル放送方式などで用いられるＯＦＤＭ（直交周波数分割多重：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式のデジタル放送受信装置及びデジタル放送受信方法に関し、特に異なる中継局から送信された地上デジタル放送を受信するデジタル放送受信装置及びデジタル放送受信方法に関する。
【背景技術】
【０００２】
日本の地上波テレビジョン放送は、２０１１年７月に予定されている地上アナログ放送の停波に向け、地上デジタル放送方式（ＩＳＤＢ−Ｔ：Ｉｎｔｅｇｒａｔｅｄ  Ｓｅｒｖｉｃｅｓ  Ｄｉｇｉｔａｌ  Ｂｒｏａｄｃａｓｔｉｎｇ  −  Ｔｅｒｒｅｓｔｒｉａｌ）の整備が進んでいる。特に、最近は、小規模の送信出力の中継局の整備が全国各地で行われている。地上デジタル放送では、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式が適用され、ガードインターバルという仕組みが導入された結果、ＳＦＮ（Ｓｉｎｇｌｅ  Ｆｒｅｑｕｅｎｃｙ  Ｎｅｔｗｏｒｋ）方式と呼ばれる複数の中継局から同一の周波数で同内容の放送信号を送信することが可能となっている。そして、地上デジタル放送では、ＳＦＮ方式と物理チャンネルが中継局ごとに異なるＭＦＮ（Ｍｕｌｔｉ  Ｆｒｅｑｕｅｎｃｙ  Ｎｅｔｗｏｒｋ）方式とを併用する中継局ネットワークが構築されている。こうした環境において、車両などの移動体において、移動しながら地上デジタル放送を受信する場合には、移動に伴って視聴中の放送エリアから外れ、新たな中継局の放送エリアに到達した際には、再度受信するチャンネルを設定する必要がある。
【０００３】
図３０は、従来の第１のデジタル放送受信装置の構成を示すブロック図である（例えば、特許文献１参照）。
図３０に示すデジタル放送受信装置５１００は、受信したデジタル放送波を入手し復調処理を行った上で、第１のＴＳ（Ｔｒａｎｓｐｏｒｔ  Ｓｔｒｅａｍ）パケットデータを出力する第１フロントエンド部５１０１と、第１フロントエンド部５１０１が入手する信号とは異なる周波数のデジタル放送波を入手し復調処理を行った上で、第２のＴＳパケットデータを出力する第２フロントエンド部５１０２と、第１のＴＳパケットデータ及び第２のＴＳパケットデータのいずれか一方を選択して出力するＴＳセレクタ部５１０３と、ＴＳセレクタ部５１０３の出力から所定の信号を分離するデータ分離部５１０４と、データ分離部５１０４で分離された所定の信号を復号し、出力するデコーダ部５１０５と、第１フロントエンド部５１０１及び第２フロントエンド部５１０２から出力された受信状態情報と、データ分離部５１０４から出力された選局状態情報とに基づいて第１フロントエンド部５１０１及び第２フロントエンド部５１０２の受信安定度を判定する受信安定度判定部５１０６とを備える。ＴＳセレクタ部５１０３は、受信安定度判定部５１０６の判定結果に基づき、第１のＴＳパケットデータ及び第２のＴＳパケットデータのいずれか一方をＴＳパケット単位で選択し出力する。
【０００４】
従来の第１のデジタル放送受信装置５１００では、デジタル放送のフロントエンド部を２系統もち、複数の送信局（中継局）の放送エリアが重複する位置にて信号を受信する場合には、一方のフロントエンド部で一方の送信局から送信された信号を受信・復調し、もう一方のフロントエンド部で異なる周波数で送信されている信号を受信・復調する。そして、デジタル放送受信装置５１００は、それぞれのフロントエンド部から得られたＴＳパケットデータの中から選局情報を抽出し、別途生成した受信安定度の判定結果に応じて、両方のフロントエンド部から出力されるＴＳパケットデータの一方をパケット単位で選択出力する。このように、送信周波数が異なる同一内容の放送波を受信・復調し、復調結果の信号を選択利用するデジタル放送受信装置が提案されている。
【０００５】
また、図３１は、従来の第２のデジタル放送受信装置の構成を示すブロック図である（例えば特許文献２参照）。図３１に示す従来の第２のデジタル放送受信機５２００は、第１のアンテナ５２０１，第２のアンテナ５２０２と、第１のチューナ５２０３，第２の５２０４と、第１の復調部５２０５，第２の復調部５２０６と、第１の係数設定部５２０７，第２の係数設定部５２０８と、信号合成部５２０９と、制御部５２１０を備える。
【０００６】
第１のチューナ５２０３および第２のチューナ５２０４は、デジタル放送受信機５２００の設置時に、制御部５２１０の制御を受けて受信チャンネルを変更し受信可能な中継局のスキャン処理を行う。スキャン処理の完了後に、制御部５２１０は第２のチューナ５２０４の受信チャンネルを、第１のチューナ５２０３で選局している放送番組と同一の放送を送信しているチャンネルの周波数へと変更する。第１の復調部５２０５と第２の復調部５２０６は、第１のチューナ５２０３と第２のチューナ５２０４からそれぞれ信号を入手し復調した上で、復調信号をそれぞれ第１の係数設定部５２０７と第２の係数設定部５２０８へ信号を出力する。第１の係数設定部５２０７と第２の係数設定部５２０８は、制御部５２１０から指示された重み付け係数を復調信号に乗じた上で、信号合成部５２０９に復調信号を出力する。信号合成部５２０９は、第１の係数設定部５２０７，第２の係数設定部５２０８から出力された重み付け後の復調信号を加算して、デジタル放送受信装置５２００の後段の復号部に出力する。
【０００７】
上記のように従来の第２のデジタル放送受信装置５２００は、デジタル放送の復調部を２系統備え、第１の中継局と第２の中継局から同一放送番組が異なる周波数のチャンネルで送信されているエリアにおいて、第１の中継局から送信される信号と，第２の中継局から送信される信号を共に受信し、第１、２の中継局の放送波の受信状況を鑑みてダイバーシティ受信を実現するデジタル放送受信装置が提案されている。
【先行技術文献】
【特許文献】
【０００８】
【特許文献１】特開２００８−１５３８３２号公報
【特許文献２】特開２００８−１９３３８５号公報
【発明の概要】
【発明が解決しようとする課題】
【０００９】
しかしながら、前記従来の第１のデジタル放送受信装置では、複数の中継局から異なる周波数で同一のＴＳパケットデータが送信される場合にＴＳパケットを選択する構成となっているが、中継局から入手するＴＳパケットデータの受信タイミング差がある場合に、適切にＴＳパケットを選択出力することができない。ＴＳパケットデータの受信タイミングは、放送局から中継局までのネットワークの構成や、受信点と中継局との位置関係により異なる。例えば、放送局と中継局までのネットワーク構成では以下のような３つの場合が存在する。
【００１０】
１つ目は、放送局でＴＳパケットデータを生成し、各中継局までＴＳパケットデータを配信し中継局にて変調信号を生成する場合である。
２つ目は、放送局でＴＳパケットデータを生成し、ＯＦＤＭ変調信号を生成した上で、各中継局までは放送周波数と異なる周波数の信号として配信した上で、中継局で送信する周波数へと周波数変換を行った上で送信する場合である。
そして、３つ目は、ある中継局から送信された信号を受信し、受信した信号を周波数変換し再送信する場合である。
【００１１】
前記従来の第１のデジタル放送受信装置５１００のように、受信タイミング差を考慮せずに２つのＴＳパケットデータをパケット単位で選択すると、受信したＴＳパケット間に時間差がある場合には、出力されるＴＳパケットデータは不連続なパケット列となるため、切り替え処理時には、ＴＳパケットデータが不適当なパケットになるという課題を有する。
【００１２】
また、前記従来の第２のデジタル放送受信装置５２００では、複数の中継局から送信される信号がそれぞれ受信できるエリアにおいて、異なる周波数で同一ＴＳパケットデータから構成された放送信号を同時に受信する際に２つの中継局からのＯＦＤＭ信号を復調時にダイバーシティ合成し、受信性能を改善しようとしている。しかしながら、異なる中継局から送信される２つの放送波の到来時間がガードインターバル長を超える場合も考えられる。２つの放送波の到来時間がガードインターバル長を超える場合には、異なるシンボル番号の信号を合成処理してしまい、正しくダイバーシティ合成されたＯＦＤＭ信号が生成されないという課題を有する。
【００１３】
本発明の第１の目的は、前記従来の課題を解決するもで、２つのＴＳパケットデータの受信タイミング差を検出し、ＴＳパケットデータ間のタイミングを一致させた上で、２つのＴＳパケットデータの選択または合成を行うデジタル放送受信装置を提供することにある。
【００１４】
また第２の目的は、検出した２つのＴＳパケットデータ間の受信タイミング差の情報を用いて、受信する複数のＯＦＤＭ信号間の受信タイミングをシンボル単位で検出・補正した上で、ＯＦＤＭキャリア単位でダイバーシティ合成を行うことができるデジタル放送受信装置を提供することにある。
【課題を解決するための手段】
上記目的を達成するために本発明のデジタル放送受信装置は、アンテナを介して受信したＯＦＤＭ信号から、選局された周波数帯域のＯＦＤＭ信号をそれぞれ取り出す複数のチューナ部と、前記複数のチューナ部から入手した複数のＯＦＤＭ信号に対し、それぞれ復調処理を行う復調処理部と、前記複数の復調処理部から出力される等化処理後の信号に対し、それぞれ誤り訂正処理を行う復号処理部と、前記復号処理部より出力される複数のＴＳパケットデータのうち、表示処理部に出力するＴＳパケットデータを選択して、出力するＴＳ処理部とを備え、前記ＴＳ処理部は、少なくとも２つの受信系統から入手するＴＳパケットデータ間の入手タイミング差を検出し、検出した入手タイミング差に応じてＴＳパケットデータの一部を遅延させることで、前記少なくとも２つの受信系統から入手したＴＳパケットデータの処理タイミングを一致させ、出力するＴＳパケットデータを選択することを特徴としている。
【００１５】
本構成によって、複数の周波数で同一ＴＳパケットデータから構成される放送波を受信できるエリアにおいて放送波を受信する場合に、受信タイミングを揃えた上で信号を選択利用することが可能となり、高品質なＴＳパケットデータを生成することが可能となる。
また、本発明のデジタル放送受信装置は、アンテナを介して受信したＯＦＤＭ信号から、選局された周波数帯域のＯＦＤＭ信号をそれぞれ取り出す複数のチューナ部と、前記複数のチューナ部から入手した複数のＯＦＤＭ信号に対し、それぞれ復調処理を行う復調処理部と、前記複数の復調処理部から出力される等化処理後の信号を入手し、重み付け比を算出した上で信号の合成を行うダイバーシティ合成処理部と、前記ダイバーシティ合成結果に対し、誤り訂正処理等の復号処理を行う復号処理部と、前記復号処理部より出力されるＴＳパケットデータの処理を行うＴＳ処理部とを備え、前記ＴＳ処理部は、少なくとも２つの受信系統からのＴＳパケットデータ間の入手タイミング差を算出し、前記ダイバーシティ合成処理部にフィードバックし、前記ダイバーシティ合成処理部では、フィードバックされたＴＳパケットデータの入手タイミング差の情報を用いて、複数のＯＦＤＭ信号間の入手タイミング差を補正した上で信号を合成することを特徴としている。
【００１６】
本構成によって、複数の中継局から送信される信号がそれぞれ受信できるエリアにおいて、異なる周波数で同一ＴＳパケットデータから構成された放送信号を同時に受信し、受信した信号の受信のタイミング差を検出し、受信タイミング差を揃えた上でダイバーシティ合成を行うことが可能となり、単一の周波数の放送信号だけを受信した場合と比較して受信性能の改善が可能となる。
【発明の効果】
【００１７】
上記のデジタル放送受信装置によれば、複数の中継局から送信される信号がそれぞれ受信できるエリアにおいて、異なる周波数で同一ＴＳパケットデータから構成された放送信号を同時に受信する際、２つのＴＳパケットデータ間の入手タイミング差を検出し揃えた結果、受信品質の良いいずれか一方のＴＳパケットデータをパケット単位で切り替えることで、映像および音声を途切れることのないデジタル放送受信装置を実現することが可能となる。
【００１８】
また、第２の発明によれば、複数の中継局から送信される信号がそれぞれ受信できるエリアにおいて、異なる周波数で同一ＴＳパケットデータから構成された放送信号を同時に受信する際、２つのＴＳパケットデータ間の受信タイミング差を算出し、ＯＦＤＭ信号の復調後の信号を合成するダイバーシティ合成処理部へと受信タイミング差の情報を通知し、ダイバーシティ合成処理部を用いることで、ＯＦＤＭ信号の復調結果の信号を合成利用することが可能となり、単一の周波数の放送信号だけを受信した場合と比較して受信性能を改善することが可能となる。
【図面の簡単な説明】
【００１９】
【図１】本発明の実施例１におけるデジタル放送受信装置のブロック図
【図２】本発明の実施例１における復調処理部のブロック図
【図３】本発明の実施例１における復号処理部のブロック図
【図４】本発明の実施例１におけるＴＳ処理部のブロック図
【図５】本発明の実施例１におけるＴＳ選択処理部のブロック図
【図６】本発明の実施例１における受信する２つのＴＳパケットデータのパケット列の一例を示す模式図
【図７】本発明の実施例１における遅延調整処理部により遅延調整され選択処理部へ出力するＴＳパケット列の模式図
【図８】本発明の実施例１における選択処理部と制御処理部について説明するためのＴＳパケット列の模式図
【図９】本発明の実施例１におけるデジタル放送受信装置の動作の一例を示すためのフローチャート
【図１０】本発明の実施例１におけるＭＦＮ環境下の中継局の受信エリアと移動体のルートの様子を表す模式図
【図１１】本発明の実施例１におけるデジタル放送受信装置の動作の一例を示すためのフローチャート
【図１２】本発明の実施例１におけるデジタル放送受信装置の動作の一例を示すためのフローチャート
【図１３】本発明の実施例１におけるデジタル放送受信装置のアンテナ振り分けの一例を示す模式図
【図１４】本発明の実施例１におけるデジタル放送受信装置の動作の一例を示すためのフローチャート
【図１５】本発明の実施例１におけるデジタル放送受信装置の動作の一例を示すためのフローチャート
【図１６】本発明の実施例２におけるデジタル放送受信装置のブロック図
【図１７】本発明の実施例２におけるＴＳ処理部のブロック図
【図１８】本発明の実施例２における合成処理部のブロック図
【図１９】本発明の実施例２におけるＴＳ遅延量検出部のブロック図
【図２０】本発明の実施例２における受信する２つのＯＦＤＭ信号の一例を示す模式図
【図２１】本発明の実施例２におけるＴＳ遅延量補正処理部により補正されるＯＦＤＭ信号の一例を示す模式図
【図２２】本発明の実施例２におけるキャリア−シンボル位置誤差検出・補正処理部について説明するためのキャリア−シンボルの一例を示す模式図
【図２３】本発明の実施例２におけるキャリア−シンボル位置誤差検出・補正処理部について説明するためのキャリア−シンボルの一例を示す模式図
【図２４】本発明の実施例２におけるデジタル放送受信装置の動作の一例を示すためのフローチャート
【図２５】本発明の実施例２におけるデジタル放送受信装置の動作の一例を示すためのフローチャート
【図２６】本発明の実施例２におけるＭＦＮ環境下の中継局の受信エリアと移動体のルートの様子を表す模式図
【図２７】本発明の実施例２におけるデジタル放送受信装置の動作の一例を示すためのフローチャート
【図２８】本発明の実施例２におけるデジタル放送受信装置の動作の一例を示すためのフローチャート
【図２９】本発明の実施例２におけるデジタル放送受信装置のアンテナ振り分けの一例を示す模式図
【図３０】従来の第１のデジタル放送受信装置のブロック図
【図３１】従来の第２のデジタル放送受信装置のブロック図
【発明を実施するための形態】
【００２０】
以下、本発明の実施の形態について、図面を参照しながら説明する。
【００２１】
なお、本発明が適応されるデジタル放送受信装置は以下の例に特定されず、無線通信を含む他の受信装置や半導体にも同様に用いることができる。
【００２２】
以下、下記の各実施例に係るデジタル放送受信装置については、日本国内における地上デジタル放送の放送方式であるＩＳＤＢ−Ｔ方式を例にとり、移動環境において受信する受信装置とする。
＜実施例１＞
【００２３】
図１は、本発明の実施例１におけるデジタル放送受信装置１００の機能構成を示すブロック図である。
【００２４】
図１に示すデジタル放送受信装置１００は、アンテナ部１１０ａ〜１１０ｎと、コネクタ１１１ａ〜１１１ｎ、チューナ部１１２、復調処理部１１３、合成処理部１１４、復号処理部１１５、ＴＳ処理部１１６、制御処理部１１７、コネクタ１１８、表示処理部１１９を備える。
【００２５】
ここでは、４本のアンテナを用いて２つの受信系統を処理する場合を例とし、現在受信中の放送（以後、現受信放送と称する）と、現受信放送とは周波数（物理チャンネル）は異なるが同一のＴＳパケットデータを中継局で送信している放送波を受信するため、第１のアンテナ１１０ａから復調処理部１１３ａまでと、第２のアンテナ１１０ｂから復調処理部１１３ｂまでの処理系統を現受信放送を受信する受信系統（以後、第１の受信系統と称する）、第３のアンテナ１１０ｍから復調処理部１１３ｍまでと、第４のアンテナ１１０ｎから復調処理部１１３ｎまでの処理系統を、異なる周波数の中継局放送を受信する受信系統（以後、第２の受信系統と称する）とし、説明する。
【００２６】
第１のチューナ部１１２ａは、コネクタ１１１ａと接続された第１のアンテナ部１１０ａにより受信された信号から所定の周波数帯域の信号を選局し、復調処理部１１３ａへと出力する。第２のチューナ部１１２ｂは、コネクタ１１１ｂと接続された第２のアンテナ部１１０ｂにより受信された信号から第１のチューナ部１１２ａと同じ周波数帯域の信号を選局し、復調処理部１１３ｂへと出力する。
第３のチューナ部１１２ｍは、コネクタ１１１ｍと接続された第３のアンテナ部１１０ｍにより受信された信号から、第１のチューナ部１１２ａとは異なる周波数帯域の信号を選局し、復調処理部１１３ｍへと出力する。第４のチューナ部１１２ｎは、コネクタ１１１ｎと接続された第４のアンテナ部１１０ｎにより受信された信号から第３のチューナ部１１２ｍと同じ周波数帯域の信号を選局し、復調処理部１１３ｎへと出力する。
【００２７】
合成処理部１１４は、復調処理部１１３ａ，１１３ｂから出力されたＯＦＤＭ信号を、合成処理部１１４ａにおいて、ダイバーシティ合成を行う。復調処理部１１３ｍ，１１３ｎからの出力信号に対しても、合成処理部１１４ｎにおいて同様にダイバーシティ合成を行い、それぞれ復号処理部１１５ａ，１１５ｎへと出力する。
【００２８】
復号処理部１１５は、合成処理部１１４ａ，１１４ｎから出力されたＯＦＤＭ信号に対しそれぞれ復号処理を行い、ＴＳパケットデータを生成しそれぞれＴＳ処理部１１６へと出力する。
【００２９】
ＴＳ処理部１１６では復号処理部１１５ａ，１１５ｎから出力されたＴＳパケットデータ間のタイミングの調整を行い、いずれか一方のＴＳパケットデータをパケット単位で切替え、１つのＴＳパケットデータを生成し、ＴＳパケットデータのデコード処理を行う。
【００３０】
制御処理部１１７では、各ブロックより出力される情報信号を用いて、各ブロック間の制御を行う。制御処理部１１７は、復調処理部１１３より、例えばＣＮ比情報やＴＳパケットエラー有無情報、誤り訂正処理後のビットエラー情報等の受信品質情報を取得し、復号処理部１１５より例えばＮＩＴ（Ｎｅｔｗｏｒｋ  Ｉｎｆｏｒｍａｔｉｏｎ  Ｔａｂｌｅ）情報やＴＳのパケットに含まれる例えばエラーフラグ等のＴＳパケットデータの品質情報を取得する。ＮＩＴ情報には、放送業者が送出している親局やＭＦＮを構成する中継局の周波数配置情報などが含まれており、ＮＩＴ情報から中継局情報を取得する事ができる。
【００３１】
図２は復調処理部１１３（１１３ａ,１１３ｂ,１１３ｍ,１１３ｎ）の詳細を示すブロック図である。復調処理部１１３は、Ａ／Ｄ変換処理部１３１、直交検波処理部１３２、ＦＦＴ演算部１３３、等化処理部１３４を備える。
【００３２】
Ａ／Ｄ変換処理部１３１は、前段ブロックであるチューナ部１１２から出力されたＯＦＤＭ信号をサンプリングし、デジタル信号へと変換した上で、直交検波処理部１３２へと出力する。
【００３３】
直交検波処理部１３２は、Ａ／Ｄ変換処理部１３１から入手したＯＦＤＭ信号に、基準搬送波と同一周波数の正弦波を乗じてベースバンドのＯＦＤＭ信号へと変換し、ＦＦＴ演算部１３３へと出力する。
【００３４】
ＦＦＴ演算部１３３は、直交検波処理部１３２から出力されたベースバンドのＯＦＤＭ信号から、有効シンボル期間の信号列を抽出する。そして、抽出した信号列に対し離散フーリエ変換を施し、複素信号を生成する。ＦＦＴ演算部１３３は、離散フーリエ変換して得られた複素信号を等化処理部１３４へと出力する。
【００３５】
等化処理部１３４は、ＦＦＴ演算部１３３から複素信号を受け取る。ＦＦＴ演算部１３３から入手した複素信号は、ＦＦＴポイント数だけ存在し、その１つ１つがＯＦＤＭシンボルデータとなっている。例えば、ＩＳＤＢ−Ｔ放送規格のモード３と呼ばれる運用規格に従えば、ＦＦＴポイント数は８１９２となり、出力される８１９２個の複素信号のうち５６１７個が処理対象となる信号であり、これをＯＦＤＭシンボルと呼ぶ。ＯＦＤＭシンボルのデータは、キャリア方向に１２シンボル毎にＳＰ（スキャッタードパイロット）信号を含んでいる。また、時間方向にも、３シンボルずつＳＰ信号をずらして配置されている。等化処理部１３４は、ＯＦＤＭシンボルからＳＰ信号を検出・抽出する。ＳＰ信号は、既知の信号であるため、抽出したＳＰ信号を既知パターンの信号で除算することにより信号の送受間での伝送路特性を算出することができる。ＳＰ信号はＯＦＤＭ信号の中に離散的に配置されているため、ＳＰ信号が含まれていないＯＦＤＭシンボル位置の信号は、周囲のＳＰ信号から算出した伝送路特性を補間処理することで算出される。算出した伝送路特性で各ＯＦＤＭシンボルを除算することで、伝送路の影響を補償したＯＦＤＭシンボルが得られる。等化処理部１３４は伝送路の影響を補償したＯＦＤＭシンボルと、ＯＦＤＭシンボルそれぞれに対応する伝送路特性の推定結果の複素信号を後段ブロックである合成処理部１１４へ出力する。
【００３６】
なお、本実施例１においては、復調処理部１１３を構成する復調処理部１１３ａ、１１３ｂ、１１３ｍ、１１３ｎのいずれか一つの構成について説明している。但し、本発明はこの構成に限定することなく、チューナ部１１２から出力される４つの信号を一つの復調処理部１１３により処理を行う構成を採用することも可能である。
【００３７】
合成処理部１１４ａは、第１の受信系統より出力される伝送路の影響を補償したＯＦＤＭシンボルと伝送路特性の推定結果のデータ列を順次受け取る。そして、合成処理部１１４ｎは、第２の受信系統より出力される伝送路の影響を補償したＯＦＤＭシンボルと伝送路特性の推定結果のデータ列を順次受け取る。合成処理部１１４ａ，１１４ｎでは、それぞれ受け取ったデータ列を用いたダイバーシティ合成を行い、合成結果を復調処理部１１５へ出力する。
【００３８】
図３は復号処理部１１５（１１５ａ,１１５ｂ,１１５ｍ,１１５ｎ）のブロック図である。復号処理部１１５は、デインタリーブ処理部１４１、デマッピング処理部１４２、ビットデインタリーブ処理部１４３、復号処理部１４４、バイトデインタリーブ処理部１４５、エネルギー逆拡散処理部１４６、ＲＳ（リード・ソロモン）復号処理部１４７、ＴＳ再生処理部１４８を備える。
【００３９】
デインタリーブ処理部１４１は、前段ブロックである合成処理部１１４から伝送路の影響を補償したＯＦＤＭシンボルと伝送路特性の推定結果のデータ列を順次受け取る。そして、受け取ったデータ列の並び替えを行う。並び替えの規則は、ＩＳＤＢ−Ｔ規格で規定されており、送信側のインタリーブ処理において時間方向および周波数方向にランダムに並び替えられた信号を元の順序に戻す処理を行う。そして、デマッピング処理部１４２へと並び替えたＯＦＤＭシンボルと伝送路特性の推定結果のデータ列を出力する。
【００４０】
デマッピング処理部１４２は、デインタリーブ処理部１４１から並び替えられたＯＦＤＭシンボルと伝送路特性の推定結果のデータ列を入手する。ＯＦＤＭシンボルは、信号の送信側において、キャリア変調方式に従って複素平面上にマッピングされている。例えばキャリア変調方式が６４ＱＡＭであれば、入手したビットデータに応じ６４点のマッピング点のいずれかの信号へと変換される。デマッピング処理部１４２では、受信した複素信号から最も近いマッピング点を送信信号点とみなし、ビットデータを生成する。また、送信信号点とみなしたマッピング点と受信信号点の距離情報（以下、受信シンボル点の距離情報）と、別途デインタリーブ処理部１４１から入手した伝送路特性の情報を基に、信頼性情報を生成する。この際、ＯＦＤＭシンボル単位で前記受信シンボル点の距離情報を一定期間累積し、ＯＦＤＭシンボルが含まれるキャリアに含まれるキャリア毎のノイズ量を別途算出した上、キャリア毎のノイズ量、伝送路特性の推定結果および受信シンボル点の距離情報から信頼性情報を生成してもよい。そして、生成したビットデータと、信頼性情報とをビットデインタリーブ処理部１４３へとデータ列を出力する。
【００４１】
ビットデインタリーブ処理部１４３は、デマッピング処理部１４２より入手したビットデータと信頼性情報を、ＩＳＤＢ−Ｔ規格の規定に従い元の順序へと並び替えを行い、復号処理部１４４へと出力する。
【００４２】
復号処理部１４４は、ビットデインタリーブ処理部１４３よりビットデータと信頼性情報を入手し、受け取ったビットデータを信頼性情報に応じて重み付けしビタビ復号処理を行い、バイトデインタリーブ処理部１４５へとビタビ復号結果のデータ列を出力する。
【００４３】
バイトデインタリーブ処理部１４５は、復号処理部１４４より入手したビタビ復号結果のデータ列を受け取り、ＩＳＤＢ−Ｔ規格の規定に従い元の順序へと並び替えを行い、エネルギー逆拡散処理部１４６へとデータ列を出力する。
【００４４】
エネルギー逆拡散処理部１４６は、バイトデインタリーブ処理部１４５より得られたデータ列をＩＳＤＢ−Ｔ規格の規定に従い信号の送信側で施されたエネルギー拡散処理を元に戻す処理を行い、変換後のデータ列をＲＳ復号処理部１４７へと出力する。
【００４５】
ＲＳ復号処理部１４７は、エネルギー逆拡散処理部１４６より入手したデータ列を受け取り付与されている外符号を用いてリード・ソロモン復号処理を行い、ＴＳ再生処理部１４８へとリード・ソロモン復号後のデータ列を出力する。
【００４６】
ＴＳ再生処理部１４８は、ＲＳ復号処理部１４７からリード・ソロモン復号されたデータ列を入手する。ＲＳ復号処理部１４７から得られたリード・ソロモン復号されたデータ列は、ＴＳのパケットとなっている。ＴＳ再生処理部１４８では、ＲＳ復号処理部１４７から得たＴＳのパケット数が伝送パラメータにより異なるため、適切な数のヌルパケットを補完し、伝送パラメータに依存せず一定のＴＳのパケット数が出力されるようにする。ＴＳ再生処理部１４８は、ヌルパケットを補完した後のＴＳのパケットを後段ブロックであるＴＳ処理部１１６へ出力する。
なお、本実施例１においては、復号処理部１１５を構成する復号処理部１１５ａ、１１５ｎのいずれか一つの構成について説明している。但し、本発明はこの構成に限定することなく、合成処理部１１４から出力される２つの信号を一つの復号処理部１１５により処理を行う構成を採用することも可能である。
【００４７】
図４はＴＳ処理部１１６のブロック図である。ＴＳ処理部１１６は、ＴＳ選択処理部１５１、ＴＳデコード処理部１５２、ＭＰＥＧデコード処理部１５３を備える。
【００４８】
ＴＳ選択処理部１５１は、前段ブロックである復号処理部１１５から出力される第１の受信系統のＴＳパケットデータと第２の受信系統のＴＳパケットデータより、ＴＳパケットデータに含まれる情報を基に、双方のＴＳパケットデータの遅延差をパケット単位で検出、補正を行い、ＴＳパケットデータのタイミングを一致させる。そして、受信品質のよいＴＳパケットデータをパケット単位で選択し、ＴＳデコード処理部１５２へと出力する。
【００４９】
ＴＳデコード処理部１５２は、ＴＳ選択処理部１５１から出力されるＴＳパケットデータより、ＴＳに含まれる情報をもとに、ビデオパケット、オーディオパケット、ＰＣＲ（Ｐｒｏｇｒａｍ  Ｃｌｏｃｋ  Ｒｅｆｅｒｅｎｃｅ）パケット等のパケットに分類し、ＭＰＥＧデコード処理部１５３へと出力する。
【００５０】
ＭＰＥＧデコード処理部１５３は、ビデオデコーダおよびオーディオデコーダから構成される。ビデオデコーダは、ＴＳデコード処理部１５２から入手したトランスポートストリームパケットのうちビデオパケットを抽出し、データを復号し画像データを生成する。オーディオデコーダは、ＴＳデコード処理部１５２から入手したトランスポートストリームのうちオーディオパケットを抽出し、データを復号し音声データを生成する。そして、ＭＰＥＧデコード処理部１５３は、ＰＣＲパケットに含まれる時間情報を基に、画像データと音声データの出力タイミングを調整した上で、画像データと音声データを後段ブロックである表示処理部１１９に出力する。
【００５１】
以上の図１〜図４に示した構成により、ＩＳＤＢ−Ｔ方式において、複数の中継局から送信される信号がそれぞれ受信できるエリアにおいて、異なる周波数で同一ＴＳパケットデータから構成された放送信号を同時に受信する際に、受信性能を改善し、画像や音声を視聴することが可能となる。
【００５２】
ここで、本発明の実施例１におけるデジタル放送受信装置１００について、従来の第１のデジタル放送受信装置と異なり、特徴部分であるＴＳ選択処理部１５１について詳細に説明する。
【００５３】
図５は、本発明の実施例１におけるデジタル放送受信装置１００のＴＳ処理部１１６にあるＴＳ選択処理部１５１のブロック図である。図５において、ＴＳ選択処理部１５１は、コネクタ１６１ａ，１６１ｂ、基準パケット検出処理部１６２ａ，１６２ｂ、遅延調整処理部１６３、メモリ１６４、選択処理部１６５、コネクタ１６６、１６７を備える。
【００５４】
コネクタ１６１ａ，１６１ｂは、前段ブロックである復号処理部１１５ａ，１１５ｎのＴＳ再生処理部１４８からの出力とＴＳ選択処理部１５１をそれぞれ接続する。
【００５５】
基準パケット検出処理部１６２ａ，１６２ｂでは、入力される２つのＴＳパケットデータの、例えば同期信号であるＴＳ＿Ｓｙｎｃ信号をタイミング情報として検出する。
【００５６】
遅延調整処理部１６３では、前記基準パケット検出処理部１６２ａ，１６２ｂからのタイミング情報（ＴＳ＿Ｓｙｎｃ信号）を基に、２つのＴＳパケットデータの受信タイミング差（ＴＳ遅延補正情報）をパケット単位で算出し、算出されたパケット分のＴＳパケットデータのパケットをメモリ１６４に順次保存する。２つのＴＳパケットデータのタイミングが一致した場合、先に受信しメモリ１６４に保存しているＴＳパケットデータのパケットを順次読み出し、２つのＴＳパケットデータをパケット単位でタイミングを一致させ、選択処理部１６５へ出力する。ＴＳ遅延補正情報はコネクタ１６７がＴＳ選択処理部１５１と接続する制御処理部１１７へ出力する。制御処理部１１７は、ＴＳ遅延補正情報を基に、遅延調整処理部１６３がメモリ１６４からＴＳパケットデータのパケットを読み出すよう指示を行う。
【００５７】
選択処理部１６５では、コネクタ１６７が接続する制御処理部１１７から入力される第１の受信系統と第２の受信系統の受信品質情報やＴＳ品質情報を基に、２つのＴＳパケットデータよりいずれか一方をパケット単位で選択し、出力する。
【００５８】
コネクタ１６６は、ＴＳ選択処理部１５１と後段のブロックであるＴＳデコード処理部１５２とを接続する。
【００５９】
次に、本発明の実施例１における、遅延調整処理部１６３が受信タイミング差（ＴＳ遅延補正情報）を算出する流れについてさらに詳細に説明する。
遅延調整処理部１６３は、上述のように基準パケット検出処理部１６２ａ，１６２ｂからのタイミング情報（ＴＳ＿Ｓｙｎｃ信号）を基に、２つのパケット間のタイミングを揃えるのであるが、揃えるべき２つのＴＳパケットの内容が対応している必要がある。
このため、タイミングの調整に先立って、遅延調整処理部は２つの受信系統を経由して受信した２つのＴＳパケットの内容の一致の有無を検出する。
この２つの受信系統で受信した２つのＴＳパケットそれぞれにはＮＩＴ情報（service_id、network_idを含む）およびＢＩＴ（Broadcaster Information Table）情報（affiliation_idを含む）が含まれている。
遅延調整処理部１６３は、これら２つのＴＳパケットそれぞれのservice_id同士、network_id同士およびaffiliation_id同士を照合する。照合の結果、service_id、network_idおよびaffiliation_idが一致すれば、異なる中継局から送信されている場合でも、これら２つのＴＳパケットが同じ選局に対応するＴＳパケットであると検出できる。
続いて、遅延調整処理部１６３は、同じ選局に対応すると検出された、２つのＴＳパケットそれぞれに含まれるcontinuity_counterを利用して各ＴＳパケットのパケット列を特定する。
continuity_counterは通常１ずつインクリメントされるため、continuity_counterが一致する２つのＴＳパケットは同一のパケット列とみなすことができる。そして、この同一とみなした２つのＴＳパケットの受信時間差をＴＳ遅延補正情報として算出することができる。
遅延調整処理部１６３が受信タイミング差（ＴＳ遅延補正情報）を算出する、より具体的な例について図６を用いて説明する。
図６は、受信する２つのＴＳパケットデータのパケット列の一例を示す模式図である。
図６には、第１の受信系統で受信したＴＳパケットＴＳ＿Ａ（ｎ）と、第２の受信系統で受信したＴＳパケットＴＳ＿Ｂ（ｎ）とをそれぞれ示し、それぞれのパケット列をＡ，Ｂ，Ｃ，・・・，とパケット単位で示している。
これら２つのＴＳパケットＴＳ＿Ａ（ｎ），ＴＳ＿Ｂ（ｎ）は同じ選局に対応するＴＳパケットであると既に検出されたものとする。
【００６０】
例えばｎ＝１番目の場合、第１の受信系統で受信するＴＳパケットＴＳ＿Ａ（１）はＣ、第２の受信系統で受信するＴＳパケットＴＳ＿Ｂ（１）はＡとなる。ｎ＝３番目の場合、第１の受信系統で受信するＴＳパケットＴＳ＿Ａ（３）はＥ、第２の受信系統で受信するＴＳパケットＴＳ＿Ｂ（３）はＣとなっており、ＴＳ＿Ａ（ｎ）のｎ＝１番目以降とＴＳ＿Ｂ（ｎ）のｎ＝３番目以降は一致している。つまりこの場合、ＴＳ＿Ａ（ｎ）とＴＳ＿Ｂ（ｎ）のＴＳパケットの差は２パケットであり、第１の受信系統と第２の受信系統のＴＳの受信タイミング差であるＴＳ遅延補正情報は２パケットであることがわかる。
【００６１】
そこで遅延調整処理部１６３では、ＴＳ＿Ａ（ｎ）とＴＳ＿Ｂ（ｎ）の受信タイミング差を検出し、ＴＳパケット単位でパケットの内容が一致するように遅延調整を行う。
【００６２】
図６の場合、ＴＳ＿Ａ（ｎ）のｎ＝１番目以降とＴＳ＿Ｂ（ｎ）のｎ＝３番目以降は一致しているので、ＴＳ＿Ａ（１）はメモリ１６４に格納する。同様に、ｎ＝２、ｎ＝３番目に関しても、第１の受信系統で受信するＴＳパケットＴＳ＿Ａ（２）、ＴＳ＿Ａ（３）はメモリ１６４に格納する。次に、ｎ＝３の場合、第１の受信系統で受信するＴＳパケットＴＳ＿Ａ（３）はＥ、第２の受信系統で受信するＴＳパケットＴＳ＿Ｂ（３）はＣである。この場合、第２の受信系統で受信するＴＳパケットデータＴＳ＿Ｂ（３）がＣであるため、第１の受信系統がｎ＝１の時に受信したＴＳパケットＴＳ＿Ａ（１）と一致する。したがって、ｎ＝３のときに、遅延調整処理部１６３は、メモリ１６４からＴＳパケットＴＳ＿Ａ（１）を読み出し、ＴＳ＿Ｂ（３）のＴＳパケットと共に、選択処理部１６５へ出力する。ＴＳパケットＴＳ＿Ａ（３）はメモリ１６４に格納される。
【００６３】
図７は遅延調整処理部１６３により遅延調整され選択処理部１６５へ出力するＴＳパケット列の模式図を示している。図６のｎ＝１の場合、第１の受信系統で受信されたＴＳパケットＴＳ＿Ａ（１）は遅延調整により、図７ではｎ＝３となるＴＳ＿Ａ（３）で出力される。このとき、第２の受信系統で受信するＴＳパケットＴＳ＿Ｂ（３）はＣであり、ＴＳパケットのタイミングは一致している。同様に図６のｎ＝２，３，４，５の際、第１の受信系統で受信されたＴＳパケットＴＳ＿Ａ（２）、ＴＳ＿Ａ（３）、ＴＳ＿Ａ（４）、ＴＳ＿Ａ（５）は遅延調整により、図７ではｎ＝４、５、６、７となるＴＳ＿Ａ（４）、ＴＳ＿Ａ（５）、ＴＳ＿Ａ（６）、ＴＳ＿Ａ（７）で出力される。同様に、第２の受信系統で受信するＴＳパケットＴＳ＿Ｂ（４）、ＴＳ＿Ｂ（５）、ＴＳ＿Ｂ（６）、ＴＳ＿Ｂ（７）はＤ，Ｅ、Ｆ、Ｇであり、ＴＳパケットのタイミングは一致する。
【００６４】
つまり、受信する２つのＴＳパケットデータのパケット列の受信タイミングを調整する際、遅延調整処理部１６３がＴＳ遅延補正情報を算出し、ＴＳパケットデータのタイミングを一致させることにより、異なる周波数の信号であっても受信のタイミングを揃えることが可能となる。
【００６５】
次に、図８を用いて、本発明の実施例１における、選択処理部１６５、制御処理部１１７について説明する。図８には、第１の受信系統で受信したＴＳパケットＴＳ＿Ａ（ｎ）と、第２の受信系統で受信したＴＳパケットＴＳ＿Ｂ（ｎ）とをそれぞれ示し、それぞれのパケット列をＡ，Ｂ，Ｃ，・・・，Ｇとパケット単位で示している。選択処理部１６５で選択されるＴＳパケットを、ＴＳ＿Ａ（ｎ）を優先するとした場合、例えば図８のｎ＝１の場合、第１の受信系統で受信するＴＳパケットＴＳ＿Ａ（１）を、ｎ＝２の場合、第１の受信系統で受信するＴＳパケットＴＳ＿Ａ（２）を選択する。ｎ＝３の場合、制御部１１７からの受信品質情報やＴＳ品質情報を基に、第１の受信系統で受信するＴＳパケットＴＳ＿Ａ（３）にはエラーが生じていると判定し、第２の受信系統で受信するＴＳパケットＴＳ＿Ｂ（３）を選択する。ｎ＝４の場合、第１の受信系統で受信するＴＳパケットＴＳ＿Ａ（４）はエラーフリーなので、第１の受信系統で受信するＴＳパケットＴＳ＿Ａ（４）を選択する。ｎ＝５、ｎ＝６の場合、制御部１１７からの受信品質情報やＴＳ品質情報を基に、第２の受信系統で受信するＴＳパケットデータＴＳ＿Ｂ（５）、ＴＳ＿Ｂ（６）はエラーが生じていると判定するが、ＴＳ＿Ａ（ｎ）を優先するので、第１の受信系統で受信するＴＳパケットＴＳ＿Ａ（５）、ＴＳ＿Ａ（６）を選択する。ｎ＝７の場合、制御部１１７からの受信品質情報やＴＳ品質情報を基に、第１の受信系統で受信するＴＳパケットＴＳ＿Ａ（７）はエラーが生じていると判定し、第２の受信系統で受信するＴＳパケットＴＳ＿Ｂ（７）を選択する。
【００６６】
つまり、受信する２つのＴＳパケットデータのうち、受信信号やＴＳパケットデータの品質に応じてＴＳパケットデータをパケット単位で選択する際、制御処理部１１７からの受信品質情報やＴＳ品質情報を基に、ＴＳパケットを選択し、ＴＳパケットデータを生成することにより、高品質なＴＳパケットデータを用いた映像・音声の提供が可能となる。
【００６７】
また、受信する２つのＴＳパケットデータのパケット列のタイミングを一致させることで、さらに高品質なＴＳパケットデータの生成が可能となる。
【００６８】
なお、ここでは選択処理部１６５で選択されるＴＳパケットを、ＴＳ＿Ａ（ｎ）を優先するとしたが、ＴＳパケットがエラーフリーとなる場合は、その受信系統のＴＳパケットを選択してもよい。
次に本発明の実施例１における、図１のデジタル放送受信装置１００の動作の一例について、図９に示すフローチャートを用いて説明する。
【００６９】
デジタル放送受信装置１００が、周波数ｆｎｏｗが受信可能なエリアに位置する際（ステップＳ２００）、第１の受信系統の選局設定において周波数ｆａをｆｎｏｗに、第２の受信系統の選局設定において、周波数ｆｂをｆｎｏｗとする（ステップＳ２０１）。第１の受信系統、第２の受信系統がそれぞれ、復調処理、ダイバーシティ合成、復号処理を行い（ステップＳ２０２）、復号された受信系統、例えば第１の受信系統のＴＳパケットデータに含まれる情報よりＮＩＴ情報を取得し、ＮＩＴ情報から現在視聴中の放送波と同じ中継局情報を抽出する（ステップＳ２０３）。抽出した中継局情報（中継局周波数：ｆｎｉｔ）を基に、第２の受信系統の選局設定を中継局に選局し直す。つまり、周波数ｆｂをｆｎｉｔにする（ステップＳ２０４）。そして、第２の受信系統の復調処理、ダイバーティ合成、復号処理を行い（ステップＳ２０５）、第２の受信系統の受信判定を行う（ステップＳ２０６）。
【００７０】
ステップＳ２０６において第２の受信系統の受信判定をエラーと判定した場合（ステップＳ２０６Ａ）、ステップ２０３に戻り、ＮＩＴ情報から中継局情報の抽出からやり直す。一方、ステップＳ２０６において第２の受信系統の受信判定を安定と判定した場合（ステップＳ２０６Ｂ）、第１の受信系統と第２の受信系統のＴＳパケットデータのタイミング調整を行う（ステップＳ２０７）。次に、現在視聴対象となっている第１の受信系統の受信判定を行う（ステップＳ２０８）。
【００７１】
ステップＳ２０８において第１の受信系統が安定と判定した場合（ステップＳ２０８Ａ）、制御部１１７からの受信品質情報やＴＳ品質情報を基に、ＴＳ選択処理部１５１の選択処理部１６５おいて、パケット単位でＴＳパケットを選択し、ＴＳパケットデータの出力を切り替える（ステップＳ２０９）。切り替え生成されたＴＳパケットデータにデコード処理を行い（ステップＳ２１０）、表示部に出力する（ステップＳ２１１）。ステップＳ２０８において第１の受信系統がエラーフリーと判定した場合（ステップＳ２０８Ｂ）、第１の受信系統のＴＳパケットデータにデコード処理を行い（ステップＳ２１０）、表示部に出力する（ステップＳ２１１）。また、ステップＳ２０８において第１の受信系統がエラーと判定した場合（ステップＳ２０８Ｃ）、第２の受信系統の受信判定を行う（ステップＳ２１２）。
【００７２】
ステップＳ２１２において第２の受信系統の判定がエラーフリーと判定した場合（ステップＳ２１２Ａ）、視聴対象となる第１の受信系統の選局設定において、周波数ｆａをｆｎｉｔ（ｆｎｏｗがｆｎｉｔとなる）とし（ステップＳ２１３）、ステップＳ２０１へ戻る。また、  ステップＳ２１２において第２の受信系統の判定がエラーと判定した場合（ステップＳ２１２Ｂ）、受信不可と判断する（ステップＳ２１４）。そのため、受信階層の強階層への切り替えや、受信系統に用いるアンテナブランチ数の変更等の処理が必要となる。
【００７３】
なお、ステップＳ２０６、ステップＳ２０８の受信判定結果として示す安定とは、例えば一定時間内の信号品質がエラーフリーではなく、許容される一定のエラー量を含んでいる受信品質としている。
図１０は、複数の中継局から送信される信号がそれぞれ受信できるエリアにおいて、異なる周波数で同一ＴＳパケットデータから構成された放送信号を同時に受信する際に中継局の受信エリアと移動体のルート上に置ける受信状況の様子を表す模式図である。受信機がルートＡを地点Ａから地点Ｄへ向かって進む場合、地点Ａは、中継局Ａの放送波が弱階層（フルセグ）で受信可能な受信エリアであるが、中継局Ｂの放送波は受信されない。受信機は、中継局Ａの放送波より、ＮＩＴ情報を抽出し、中継局情報（中継局Ｂの周波数情報）を取得する。中継局情報を基に、第２の受信系統の選局周波数を設定し、中継局サーチを行う。従って地点Ａでは、中継局Ａの放送波を受信し、視聴することが可能である。
【００７４】
次に地点Ｂでは、中継局Ａの放送波は第１の受信系統を用いたダイバーシティ合成により受信可能な受信エリアであり、また、中継局Ｂの放送波は第２の受信系統を用いたダイバーシティ合成により、強階層（ワンセグ）のみ受信可能なエリアである。受信機は、中継局Ａの放送波から抽出されたＮＩＴ情報の対象となる周波数が、中継局Ｂの周波数に存在することが判別できる。従って、地点Ｂでは、中継局Ａの放送波を第１の受信系統を用いたダイバーシティ合成により、視聴することが可能である。また、中継局ＡのＮＩＴ情報が中継局Ｂの周波数であることが判明できる。
【００７５】
地点Ｃでは、中継局Ａの放送波は第１の受信系統を用いたダイバーシティ合成により、エラーフリーではない受信が可能なエリアである。また、中継局Ｂの放送波は第２の受信系統を用いたダイバーシティ合成により、エラーフリーではない受信が可能なエリアである。受信機は、第１の受信系統と第２の受信系統のそれぞれのＴＳパケットデータを用いて、ＴＳパケットデータの選択を行い、エラーの無いＴＳパケットデータを生成する。従って、地点Ｃでは、中継局Ａ、中継局Ｂの放送波から生成されるＴＳパケットデータを用いて視聴することが可能である。
【００７６】
地点Ｄでは、中継局Ａの放送波は第１の受信系統を用いたダイバーシティ合成により、強階層（ワンセグ）のみ受信が可能なエリアである。また、中継局Ｂの放送波は第２の受信系統を用いたダイバーシティ合成により受信が可能なエリアである。受信機は、２つの受信系統の状況より、視聴対象とする中継局が中継局Ａから中継局Ｂへ変わることが判別できる。従って、地点Ｄでは、中継局Ｂの放送波を第２の受信系統を用いたダイバーシティ合成により、受信することが可能である。また、中継局Ａの放送波を第１の受信系統を用いたダイバーシティ合成による受信し、後に受信判定が完全にエラーとなれば、受信機は第１の受信系統の選局を中継局Ｂに設定し、中継局ＢのＮＩＴ情報を取得し、次の中継局のサーチを行う。
【００７７】
地点ＥはルートＢを進んだ場合である。地点Ｅでは中継局Ａ、中継局Ｂともに受信エリアを外れるので、受信エラーとなる。従って、受信階層の強階層への切り替えや、受信系統に用いるアンテナブランチ数の変更等の処理が必要となる。
【００７８】
次に、本発明の実施例１において、複数の中継局が存在する際の、図１のデジタル放送受信装置１００の動作の一例について、図１１および図１２に示すフローチャートを用いて説明する。
【００７９】
デジタル放送受信装置１００が、周波数ｆｎｏｗが受信可能なエリアに位置する際（ステップＳ３００）、第１の受信系統の選局設定において周波数ｆａをｆｎｏｗに、第２の受信系統の選局設定において、周波数ｆｂをｆｎｏｗとする（ステップＳ３０１）。第１の受信系統、第２の受信系統がそれぞれ、復調処理、ダイバーシティ合成、復号処理を行い（ステップＳ３０２）、復号された受信系統、例えば第１の受信系統のＴＳパケットデータに含まれる情報よりＮＩＴ情報を取得し、ＮＩＴ情報から現在視聴中の放送波と同じ中継局情報を抽出する（ステップＳ３０３）。ここで、抽出される中継局情報が複数検出される場合（中継局周波数：ｆｎｉｔ（ｎ）、ｎ＝１,２，・・・ｎ）、第２の受信系統の選局設定において、周波数ｆｂを最初に検出された中継局ｆｎｉｔ（１）に選局設定し（ステップＳ３０４）、復調処理、ダイバーティ合成、復号処理を行い（ステップＳ３０５）、第２の受信系統の受信判定を行う（ステップＳ３０６）。
ステップＳ３０６において第２の受信系統の受信判定を行い安定と判定した場合（ステップＳ３０６Ａ）、第１の受信系統のＴＳパケットデータと第２受信系統のＴＳパケットデータのＴＳパケットデータ間の時間差を抽出する（ステップＳ３０７）。
一方ステップＳ３０６において第２の受信系統の受信判定を行いエラーと判定した場合（ステップＳ３０６Ｂ）、次の中継局を選択し（ステップＳ３０８）、再度選局設定、復調処理、ダイバーシティ合成、復号処理と行う。すべての中継局の受信判定が完了した場合（ステップＳ３０９Ｂ）、受信判定が安定と判定され、且つ、ＴＳパケットデータの時間差が最短となる中継局を選局設定する（ステップＳ３１０）。次に、第１の受信系統と選局設定された第２の受信系統のＴＳパケットデータのタイミング調整を行う（ステップＳ３１１）。次に、現在視聴対象となっている第１の受信系統の受信判定を行い、第１の受信系統がエラーフリーと判定した場合（ステップＳ３１２Ｂ）、第１の受信系統のＴＳパケットデータにデコード処理を行い（ステップＳ３１４）、表示部に出力する（ステップＳ３１５）。
第１の受信系統が安定と判定した場合（ステップＳ３１２Ａ）、制御部１１７からの受信品質情報やＴＳ品質情報を基に、ＴＳ選択処理部１５１の選択処理部１６５おいて、パケット単位でＴＳパケットを選択し、ＴＳパケットデータの出力を切り替える（ステップＳ３１３）。切り替え生成されたＴＳパケットデータにデコード処理を行い（ステップＳ３１４）、表示部に出力する（ステップＳ３１５）。また、第１の受信系統がエラーと判定した場合（ステップＳ３１２Ｃ）、第２の受信系統の受信判定を行う。第２の受信系統の判定がエラーフリーと判定した場合（ステップＳ３１６Ａ）、視聴対象となる第１の受信系統の選局設定において、周波数ｆａをｆｎｉｔ（ｆｎｏｗがｆｎｉｔとなる）（ステップＳ３１７）とし、ステップＳ３０１へ戻る。また、第２の受信系統の判定がエラーと判定した場合（ステップＳ３１６Ｂ）、受信不可（ステップＳ３１８）となるため、受信階層の強階層への切り替えや、受信系統に用いるアンテナブランチ数の変更等の処理が必要となる。
【００８０】
なお、ステップＳ３０６、ステップＳ３１２の受信判定結果として示す安定とは、例えば一定時間内の信号品質がエラーフリーではなく、許容される一定のエラー量を含んでいるものとしている。
【００８１】
なお、ＮＩＴ情報より複数の中継局情報が抽出された場合、ステップＳ３１０にて対象となる中継局の受信判定結果が安定となり、且つ、ＴＳ遅延補正情報が最短となる中継局を選局することで、ＴＳパケットデータの遅延時間調整時に必要となるメモリ量を最小限に抑えることが可能である。
【００８２】
なお、ＴＳ遅延補正情報が大きい場合、例えばＩＳＤＢ−Ｔ放送規格において、階層伝送されている際、ＴＳ遅延補正情報が大きい場合、弱電界での受信を可能とする放送波（ワンセグ放送）に関してのみ、時間調整を行ってもよい。
【００８３】
なお、第１の受信系統と第２の受信系統で得られたＴＳパケットデータのうち、各階層伝送のＴＳパケットデータが同じコンテンツであるかどうか、確認してもよい。
【００８４】
なお、この例では、ＴＳ遅延補正情報が最短となる中継局を優先し、選局設定していたが、例えば受信品質情報、ＴＳ品質情報を優先してもよい。また、回路規模に応じてＴＳ遅延補正情報の制限を決めても良い。
【００８５】
なお、本発明の実施例１では、２本のアンテナから構成される第１の受信系統と、２本のアンテナから構成される第２の受信系統で、視聴用の受信および中継局検索処理の受信を行っていたが、例えば受信品質情報やＴＳ品質情報に応じて、それぞれの受信系統のアンテナ本数の割り振りを、例えば２：２から３：１、１：３と制御してもよい。例えば、図１３は受信系統のアンテナ本数の割り振りと受信性能品質の一例を示しており、縦軸に受信性能品質、横軸は受信機が中継局Ａから中継局Ｂへ移動する際の通過時間を、実線が中継局Ａを各アンテナ本数で受信した場合の受信性能品質グラフ、破線が中継局Ｂを各アンテナ本数で受信した場合の受信性能品質グラフであり、図中（１）が１本のアンテナを用いた受信、（２）が２本のアンテナを用いた受信、（３）が３本のアンテナを用いた受信であることをそれぞれ図示している。現在受信中の中継局Ａを１本のアンテナでエラーの無い状態で受信可能な場合、３本のアンテナを中継局Ｂのサーチや受信に使用する。１本のアンテナでの中継局Ａの受信が困難な場合、２本のアンテナを用いた受信に切り替え、中継局Ｂの受信に割り振っているアンテナを２本に変更する。時間Ｔの地点で中継局Ａと中継局Ｂの受信品質が入れ替わるため、中継局Ａを受信するアンテナを２本から１本とし、中継局Ｂを受信するアンテナを２本から３本へと変更する。つまり、受信品質等に応じて、それぞれの受信系統のアンテナ本数を割り振ることにより、高品質なＴＳパケットデータを生成し、高精度なＴＳパケットデータの切り替えが可能となる。
また、複数の中継局が検出された場合、ＴＳ遅延補正情報を加味したアンテナ本数の割り振りを行うことで、さらに高品質なＴＳパケットデータを生成し、高精度なＴＳパケットデータの切り替えが可能となる。
なお、本実施例において、ＢＩＴ情報から検出される系列局を用いることにより、異なる県域の系列局のＴＳパケットデータを用いた、ＴＳ切り替えが可能となる。
【００８６】
例えば、図１４と図１５に系列局を用いたＴＳパケットデータ選択動作の一例について、フローチャートを示している。
【００８７】
デジタル放送受信装置１００が、周波数ｆｎｏｗが受信可能なエリアに位置する際（ステップＳ４００）、第１の受信系統の選局設定において周波数ｆａをｆｎｏｗに、第２の受信系統の選局設定において、周波数ｆｂをｆｎｏｗとする（ステップＳ４０１）。第１の受信系統、第２の受信系統がそれぞれ、復調処理、ダイバーシティ合成、復号処理を行い（ステップＳ４０２）、復号された受信系統、例えば第１の受信系統のＴＳパケットデータに含まれる情報よりＢＩＴ情報を取得し、ＢＩＴ情報から現在視聴中の放送波と同じ系列局情報を抽出する（ステップＳ４０３）。抽出した系列局情報を基に、同じ系列局情報を持つ周波数を探索し（ステップＳ４０４）、同じ系列局情報をもつ系列局がない場合（ステップＳ４０５Ａ）系列局サーチを繰り返す。
同じ系列局情報をもつ系列局が存在する場合（ステップＳ４０５Ｂ）、第２の受信系統の選局設定において、周波数ｆｂをｆｂｉｔにし（ステップＳ４０６）、復調処理、ダイバーティ合成、復号処理を行う（ステップＳ４０７）。第２の受信系統の受信判定を行いエラーと判定した場合（ステップＳ４０８Ａ）、ＢＩＴ情報を確認し、再度系列局サーチを実施する。一方、受信判定において安定と判定した場合（ステップＳ４０８Ｂ）、第１の受信系統に含まれるＴＳパケットデータのうち、映像部と音声部をＰＩＤで指定し抽出する。同様に第２の受信系統に含まれるＴＳパケットデータのうち、映像部と音声部をＰＩＤで指定し抽出する。双方の映像部のＴＳパケットデータと音声部のＴＳパケットデータを比較し、データが不一致の場合（ステップＳ４０９Ａ）、ＢＩＴ情報を確認し、再度系列局サーチを実施する。一方、データは一致する場合（ステップＳ４０９Ｂ）、双方の映像・音声のＴＳパケットデータが一致するようＴＳパケットデータのタイミング調整を行う（ステップＳ４１０）。
次に、現在視聴対象となっている第１の受信系統の受信判定を行い、第１の受信系統がエラーフリーと判定した場合（ステップＳ４１１Ｂ）、第１の受信系統のＴＳパケットデータにデコード処理を行い（ステップＳ４１３）、表示部に出力する（ステップＳ４１４）。第１の受信系統が安定と判定した場合（ステップＳ４１１Ａ）、制御部１１７からの受信品質情報やＴＳ品質情報を基に、ＴＳ選択処理部１５１の選択処理部１６５おいて、パケット単位で映像部・音声部のＴＳパケットを選択し、ＴＳパケットデータの出力を切り替える（ステップＳ４１２）。切り替え生成されたＴＳパケットデータにデコード処理を行い（ステップＳ４１３）、表示部に出力する（ステップＳ４１４）。また、第１の受信系統がエラーと判定した場合（ステップＳ４１１Ｃ）、第２の受信系統の受信判定（ステップＳ４１５）を行う。ステップＳ４１５において第２の受信系統の判定がエラーフリーと判定した場合（ステップＳ４１５Ａ）、視聴対象となる第１の受信系統の選局設定において、周波数ｆａをｆｂｉｔ（ｆｎｏｗがｆｂｉｔとなる）とし、ステップＳ４０１へ戻る。また、第２の受信系統の判定がエラーと判定した場合（ステップＳ４１５Ｂ）、受信不可（ステップＳ４１７）となるため、受信階層の強階層への切り替えや、受信系統に用いるアンテナブランチ数の変更等の処理が必要となる。
【００８８】
なお、ステップＳ４０８、ステップＳ４１１の受信判定結果として示す安定とは、例えば一定時間内の信号品質がエラーフリーではなく、許容される一定のエラー量を含んでいる受信品質としている。
【００８９】
なお、系列局サーチより複数の系列局（例えば同じＢＩＴ情報をもつ県外の中継局）が抽出された場合、対象となる中継局の受信判定結果が安定となり、且つ、ＴＳ遅延補正情報が最短となる中継局を選局することで、ＴＳパケットデータの遅延時間調整時に必要となるメモリ量を最小限に抑えることが可能である。
このように本発明によれば、複数の中継局から送信される信号がそれぞれ受信できるエリアにおいて、異なる周波数で同一ＴＳパケットデータから構成された放送信号を同時に受信する際に、２つのＴＳパケットデータ間の時間誤差を検出することで、ＴＳパケットデータのタイミングを揃えることが可能となり、受信品質の良いいずれか一方のＴＳパケットデータをパケット単位で切り替えることで、映像および音声が途切れにくいデジタル放送受信装置１００を実現することが可能となる。
＜実施例２＞
【００９０】
図１６は、本発明の実施例２におけるデジタル放送受信装置のブロック図を示すものである。図１６において、図１〜図３と同じ構成要素については同じ符号を用い、説明を省略する。
【００９１】
ここでは、４本のアンテナを用いて２つの受信系統を処理する場合を例とし、現在受信中の現受信放送と、周波数（物理チャンネル）は異なるが同一のＴＳパケットデータを中継局で送信している放送波を受信する為、第１のアンテナ１１０ａから復調処理部１１３ａと、第２のアンテナ１１０ｂから復調処理部１１３ｂの処理系統を、現受信放送を受信する受信系統（以後、第１の受信系統と称する）、第３のアンテナ１１０ｍから復調処理部１１３ｍと、第４のアンテナ１１０ｎから復調処理部１１３ｎの処理系統を、異なる周波数の中継局放送を受信する受信系統（以後、第２の受信系統と称する）とし、説明する。
【００９２】
合成処理部１１０１は、復調処理部１１３ａ，１１３ｂから出力されたＯＦＤＭ信号を、ダイバーシティ合成部１３０２ａ（図１８参照）において、ダイバーシティ合成を行う。復調処理部１１３ｍ，１１３ｎからの出力信号に対しても、ダイバーシティ合成部１３０２ｍ（図１８参照）において同様にダイバーシティ合成を行い、それぞれ復号処理部１１５ａ，１１５ｍ，１１５ｎへと出力する。
【００９３】
また、合成処理部１１０１は、ＴＳ処理部１１０２より出力されるＴＳ遅延補正情報を制御処理部１１０３より取得し、復調処理部１１３ａ，１１３ｂから出力される第１の受信系統のＯＦＤＭ信号と、１１３ｍ，１１３ｎから出力される第２の受信系統のＯＦＤＭ信号の遅延時間を補正し、さらに補正されたＯＦＤＭ信号のキャリア−シンボル位置誤差の検出、補正を行い、復調処理部１１３ａ，１１３ｂ，１１３ｍ，１１３ｎから出力されるＯＦＤＭ信号のキャリア−シンボルのタイミングを一致させる。一致したＯＦＤＭ信号を用いてダイバーシティ合成を行い、復号処理部１１５ｎへ出力する。なお、合成処理部１１０１におけるＯＦＤＭ信号の遅延時間の補正方法については、後述する。
【００９４】
復号処理部１１５は、合成処理部１１０１から出力されたＯＦＤＭ信号に対し復号処理を行い、ＴＳパケットデータを生成しそれぞれＴＳ処理部１１０２へと出力する。
【００９５】
ＴＳ処理部１１０２では、復号処理部１１５ａ，１１５ｍから出力されたＴＳパケットデータ間の遅延時間差を検出する。ＴＳ処理部１１０２では、ＴＳパケットデータ間の遅延時間差を、ＯＦＤＭフレーム長の単位で算出する。例えば、遅延時間差が１ＯＦＤＭフレーム長以下であれば、合成処理部にてタイミングを揃えて合成処理を行うものとして、遅延時間差が１ＯＦＤＭフレーム長より小さいか否かを判定してもよい。そして、ＴＳ遅延補正情報を、制御処理部１１０３を通して合成処理部１１０１へフィードバックする。また、ＴＳ処理部１１０２は、復号処理部１１５ｍから出力されたＴＳパケットデータのデコード処理を行い、ＭＰＥＧデコード処理の後、表示処理部１１９へ出力する。
【００９６】
制御処理部１１０３では、各ブロックより出力される情報信号を用いて、各ブロック間の制御を行う。制御処理部１１０３は、復調処理部１１３より、例えばＣＮ情報や受信エラー情報、ビットエラー情報等の受信品質情報を取得し、復号処理部１１５より例えばＮＩＴ（Ｎｅｔｗｏｒｋ  Ｉｎｆｏｒｍａｔｉｏｎ  Ｔａｂｌｅ）情報やＴＳのパケットに含まれる例えばエラーフラグ等のＴＳ品質情報を取得する。ＮＩＴ情報には、放送業者が送出している親局やＭＦＮを構成する中継局の周波数配置情報などが含まれており、ＮＩＴ情報から中継局情報を取得する事ができる。また、ＴＳ処理部１１０２よりＴＳ間の遅延時間差情報と、遅延時間差の対象となるＭＦＮ中継局の周波数を取得する。
図１７はＴＳ処理部１１０２のブロック図である。ＴＳ処理部１１０２は、ＴＳ遅延量検出部１２０１、ＴＳデコード処理部１２０２、ＭＰＥＧデコード処理部１２０３を備える。
【００９７】
ＴＳ遅延量検出部１２０１は、前段ブロックである復号処理部１１５から出力されるＴＳパケットデータより、ＴＳパケットデータに含まれる情報を基に、パケット単位で誤差が生じているＴＳパケットデータの遅延差を検出し、ＴＳ遅延補正情報として制御処理部１１０３へ出力する。
【００９８】
ＴＳデコード処理部１２０２は、ＴＳ遅延検出部１２０１より出力される、ＴＳパケットデータより、ＴＳに含まれる情報をもとに、ビデオパケット、オーディオパケット、ＰＣＲ（Ｐｒｏｇｒａｍ  Ｃｌｏｃｋ  Ｒｅｆｅｒｅｎｃｅ）パケット等のパケットに分類し、ＭＰＥＧデコード処理部１２０３へと出力する。
【００９９】
ＭＰＥＧデコード処理部１２０３は、ビデオデコーダおよびオーディオデコーダから構成される。ビデオデコーダは、ＴＳデコード処理部１２０２から入手したトランスポートストリームパケットのうちビデオパケットを抽出し、データを復号し画像データを生成する。オーディオデコーダは、ＴＳデコード処理部１２０２から入手したトランスポートストリームのうちオーディオパケットを抽出し、データを復号し音声データを生成する。そして、ＭＰＥＧデコード処理部１２０３は、ＰＣＲパケットに含まれる時間情報を基に、画像データと音声データの出力タイミングを調整した上で、画像データと音声データを後段ブロックであるコネクタ１１８と接続さている表示処理部１１９に出力する。
以上の図２〜図３、図１６、図１７に示した構成により、ＩＳＤＢ−Ｔ方式において、ＭＦＮ環境における異なる中継局の放送波を受信した後、各種の処理を行った結果、受信性能を改善し、画像や音声を視聴することが可能となる。
【０１００】
本発明の実施例２におけるデジタル放送受信装置１１００は、従来のデジタル放送受信装置とＴＳ遅延量検出部１２０１と合成処理部１１０１が異なるので、ＴＳ遅延量検出部１２０１と合成処理部１１０１を詳細に説明する。
【０１０１】
図１８は、本発明の実施例２におけるデジタル放送受信装置の合成処理部１１０１のブロック図である。図１８において、合成処理部１１０１は、コネクタ１３０１ａ，１３０１ｂ，１３０１ｍ，１３０１ｎ、ダイバーシティ合成部１３０２ａ，１３０２ｍ，１３０２ｎ、ＴＳ遅延量補正処理部１３０３、キャリアーシンボル位置誤差検出・補正処理部１３０４、メモリ１３０５、コネクタ１３０６ａ，１３０６ｍ，１３０６ｎ，１３０７を備える。
【０１０２】
コネクタ１３０１ａ，１３０１ｂ，１３０１ｍ，１３０１ｎは、前段ブロックである、復調処理部１１３ａ，１１３ｂ，１１３ｍ，１１３ｎからの出力と、合成処理部１１０１をそれぞれ接続する。
【０１０３】
ダイバーシティ合成部１３０２ａは、第１の受信系統である復調処理部１１３ａ，１１３ｂから出力されたＯＦＤＭ信号に対しダイバーシティ合成し、ダイバーシティ合成部１３０２ｍは、第２の受信系統である復調処理部１１３ｍ，１１３ｎから出力されたＯＦＤＭ信号に対しダイバーシティ合成を行い、それぞれコネクタ１３０６ａ，１３０６ｍと接続されている復号処理部１１５へ出力する。
【０１０４】
ＴＳ遅延量補正処理部１３０３は、ＴＳ処理部１１０２より出力されるＴＳ遅延補正情報を制御処理部１１０３より取得する。そして、コネクタ１３０１ａ，１３０１ｂより入力される第１の受信系統であるＯＦＤＭ信号と、コネクタ１３０１ｍ，１３０１ｎより入力される第２の受信系統であるＯＦＤＭ信号に対し、ＴＳ遅延補正情報を基にＴＳパケットデータの遅延量の補正処理を、メモリ１３０５を用いて行う。これにより、双方のＯＦＤＭ信号のシンボル間の誤差が、１フレームの範囲内に補正される。
【０１０５】
キャリア−シンボル位置誤差検出・補正処理部１３０４は、ＴＳ遅延量補正処理部で補正されたＯＦＤＭ信号に対し、キャリア方向とシンボル方向の位置誤差を検出し、補正処理を、メモリ１３０５を用いて行う。これにより、すべてのＯＦＤＭ信号のキャリア−シンボルのタイミングが一致する。
【０１０６】
ダイバーシティ合成１３０２ｎは、キャリア−シンボル位置誤差検出・補正処理部１３０４によって補正されたＯＦＤＭ信号に対し、ダイバーシティ合成を行い、コネクタ１３０６ｎと接続されている復号処理部１１５へ出力する。
図１９は、本発明の実施例２におけるデジタル放送受信装置のＴＳ遅延量検出部１２０１のブロック図である。図１９において、ＴＳ遅延量検出部１２０１は、コネクタ１４０１ａ，１４０１ｂ，１４０１ｃ、基準パケット検出処理部１４０２ａ，１４０２ｂ、遅延調整処理部１４０３、メモリ１４０４、選択処理部１４０５、切替処理部１４０６、コネクタ１４０７，１４０８を備える。
【０１０７】
コネクタ１４０１ａ，１４０１ｂは、前段ブロックである復号処理部１１５にある各ＴＳ再生処理部１４８からの出力とＴＳ遅延量検出部１２０１をそれぞれ接続する。
【０１０８】
基準パケット検出処理部１４０２ａ、１４０２ｂ、遅延調整処理部１４０３、メモリ１４０４、選択処理部１４０５は、図５に示す基準パケット検出処理部１６２ａ，１６２ｂ、遅延調整処理部１６３、メモリ１６４、選択処理部１６５と同じ構成となるため、ここでは説明は省略する。
【０１０９】
コネクタ１４０１ｃは、前段ブロックである復号処理部１１５にあるＴＳ再生処理部１４８からの出力とＴＳ遅延量検出部１２０１をそれぞれ接続する。コネクタ１４０７は、後段ブロックであるＴＳデコード処理部１２０２とＴＳ遅延量検出部１２０１がそれぞれ接続されている。コネクタ１４０１ａ，コネクタ１４０１ｂには、合成処理部１１０１のダイバーシティ合成部１３０２ａとダイバーシティ合成部１３０２ｍのＯＦＤＭ出力データが、復号処理部１１５を介して入力される。コネクタ１４０１ｃには、合成処理部１１０１のダイバーシティ合成部１３０２ｎのＯＦＤＭ出力データが、復号処理部１１５を介して入力される。
【０１１０】
切替処理部１４０６は選択処理部１４０５のＴＳパケットデータの出力と、コネクタ１４０１ｃから入力されるＴＳパケットデータが接続されている。コネクタ１４０７へ出力するＴＳパケットデータは、コネクタ１４０８と接続されている制御処理部１１０３による制御により切替処理部１４０６に入力されるＴＳパケットデータが選択される。
コネクタ１４０７には、切替処理部１４０６より出力されるＴＳパケットデータを接続し、後段のブロックであるＴＳデコード処理部１２０２と接続する。
ここで、図２０を用いて、本発明の実施例２における、ＴＳ遅延量補正処理部１３０３について説明する。図２０は、コネクタ１３０１ａ，１３０１ｂより入力される第１の受信系統であるＯＦＤＭ信号ＯＦＤＭ＿Ａ（ｎ）と、コネクタ１３０１ｍ，１３０１ｎより入力される第２の受信系統であるＯＦＤＭ信号ＯＦＤＭ＿Ｂ（ｎ）フレーム単位ごとの信号の様子の模式図を時間軸で表している。
【０１１１】
例えばＯＦＤＭ＿Ａ（ｎ）とＯＦＤＭ＿Ｂ（ｎ）を比較すると、ＯＦＤＭ＿Ａ（ｎ）とＯＦＤＭ＿Ｂ（ｎ）とでは、時間量Ｘの誤差が生じている。このため、このままダイバーシティ合成を行っても、正しく合成信号を生成することはできないことがわかる。そこで、ＴＳ遅延量補正処理部１３０３では、ＴＳ処理部１１０２のＴＳ遅延量検出部１２０１より出力されるＴＳ遅延補正情報を用いて、双方のＯＦＤＭ信号の時間誤差量を１フレーム時間範囲内に収まるように補正処理を行う。
ここで、上記時間量Ｘについては、実施例１で述べたcontinuity_counterを用いることで２つのＯＦＤＭ信号のフレーム単位の時間差を利用して求めることができ、またcontinuity_counterの値より、２つのＯＦＤＭ信号のどちらが早いか判断ができる。
なお、１フレーム以内で、どちらのフレームが早いか判断することができれば、先に到来するＯＦＤＭ信号をバッファに保存し、後から到来する異なる中継局からのＯＦＤＭ信号のフレームの先頭に合わせ、バッファから信号を取り出し、タイミングを合わせることで２つのＯＦＤＭ信号の合成が可能となる。なお、２つのＯＦＤＭ信号のうち、先に到来するＯＦＤＭ信号をバッファに保存する際には、後から到来する異なる中継局からのＯＦＤＭ信号の映像を出力するものとする。
【０１１２】
図２１は、ＴＳ遅延量補正処理部１３０３がＴＳ遅延補正情報を用いてＯＦＤＭの時間誤差量を補正した様子の模式図を時間軸で表している。
【０１１３】
例えば、ＯＦＤＭ＿Ａ（ｎ）とＯＦＤＭ＿Ｂ（ｎ）を比較すると、ＯＦＤＭ＿Ａ（ｎ）とＯＦＤＭ＿Ｂ（ｎ）の時間誤差量は、時間量Ｙとなっており、図２０の時間量Ｘよりも短い時間量（１フレーム以内）となっていることがわかる。つまり、ＴＳ遅延補正情報を用いて、ＯＦＤＭ信号間の遅延量を補正することで、ＯＦＤＭ信号での補正処理の範囲を限定することが可能となる。
【０１１４】
次に図２２、図２３を用いて、本発明の実施例２における、キャリア−シンボル位置誤差検出・補正処理部１３０４について説明する。図２２は、ＴＳ遅延量補正処理部１３０３より出力されるＯＦＤＭ信号ＯＦＤＭ＿Ａ（ｎ）のＯＦＤＭセグメント構成図を、図２３は、ＴＳ遅遅延量補正処理部１３０３より出力されるＯＦＤＭ信号ＯＦＤＭ＿Ｂ（ｎ）のＯＦＤＭセグメント構成図をそれぞれ表している。ここでは、ＩＳＤＢ−Ｔ放送規格のモード３と呼ばれる運用規格でのＯＦＤＭセグメント構成例を示しており、ＳＰ（Ｓｃｃａｔｔｅｒｄ  Ｐｉｌｏｔ）信号、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号、ＡＣ（Ａｕｘｉｌｉａｒｙ  Ｃｈａｎｎｅｌ）信号と、映像音声などのデータ信号から構成されている。ＯＦＤＭセグメントは、キャリア（周波数）数５６１７個、シンボル（時間）数２０４個で１フレームの信号を形成している。
【０１１５】
例えば図２２のＯＦＤＭ＿Ａ（ｎ）に示す★（黒星）印のデータと、図２３のＯＦＤＭ＿Ｂ（ｎ）に示す☆（白星）印のデータが同じ内容のデータとした場合、それぞれのデータはキャリア方向に４、シンボル方向に３ずれていることがわかる。
【０１１６】
そこで、キャリア−シンボル位置誤差検出・補正処理部１３０４では、ＯＦＤＭ＿Ａ（ｎ）の★（黒星）印のデータをＯＦＤＭ＿Ｂ（ｎ）の☆（白星）印のデータのキャリア−シンボル誤差量の検出を行う。キャリア−シンボル位置誤差量の検出方法として、例えば、ＯＦＤＭ信号に一定の間隔で挿入されているＳＰ信号や、伝送パラメータによって固定キャリア位置に配置されているＴＭＣＣ信号を用いて誤差の検出を行うことができる。
【０１１７】
検出された誤差量を基に、補正を行うことで、ＯＦＤＭ＿Ａ（ｎ）とＯＦＤＭ＿Ｂ（ｎ）のキャリア−シンボル位置を一致させることが可能となる。
【０１１８】
以上の処理によって、複数の中継局から送信される信号がそれぞれ受信できるエリアにおいて、異なる周波数で同一ＴＳパケットデータから構成された放送信号を同時に受信する際に異なるチャンネルの中継局放送波を用いたダイバーシティ合成が可能となる。
次に本発明の実施例２における、図１６のデジタル放送受信装置１１００の動作の一例について、図２４、２５に示すフローチャートを用いて説明する。
【０１１９】
デジタル放送受信装置１１００が、周波数ｆｎｏｗが受信可能なエリアに位置する際（ステップＳ１５００）、第１の受信系統の選局設定において周波数ｆａをｆｎｏｗに、第２の受信系統の選局設定において、周波数ｆｂをｆｎｏｗとする（ステップＳ１５０１）。第１の受信系統、第２の受信系統がそれぞれ、復調処理、ダイバーシティ合成、復号処理を行い（ステップＳ１５０２）、復号された受信系統、例えば第１の受信系統のＴＳパケットデータに含まれる情報よりＮＩＴ情報を取得し、ＮＩＴ情報から現在視聴中の放送波と同じ中継局情報を抽出する（ステップＳ１５０３）。抽出した中継局情報（中継局周波数：ｆｎｉｔ）を基に、第２の受信系統の選局設定において、周波数ｆｂをｆｎｉｔにし（ステップＳ１５０４）、復調処理、ダイバーティ合成、復号処理を行う（ステップＳ１５０５）。第２の受信系統の受信判定を行いエラーと判定した場合（ステップＳ１５０６Ａ）、ＮＩＴ情報を確認し、再度中継局の選局受信を実施する。
一方、受信判定において安定と判定した場合（ステップＳ１５０６Ｂ）、第１の受信系統と第２の受信系統のＴＳパケットデータの時間差分である、ＴＳ遅延補正情報を抽出する（ステップＳ１５０７）。ＴＳ遅延補正情報が１フレーム以内であれば（ステップＳ１５０８Ａ）、ＴＳ遅延補正情報を用いて、双方のＯＦＤＭ信号の時間誤差量を１フレーム時間範囲内に収まるように補正処理を行い（ステップＳ１５０９）、１フレーム時間範囲内に収まった双方のＯＦＤＭ信号のキャリア−シンボル位置誤差の検出・補正を行い、ＯＦＤＭ信号のタイミングを一致させる（ステップＳ１５１０）。タイミングが一致した双方のＯＦＤＭ信号について、復調処理、ダイバーシティ合成、復号処理を行い（ステップＳ１５１１）、出力されるＴＳパケットデータにデコード処理を行い（ステップＳ１５１４）、表示部に出力する（ステップＳ１５１５）。
【０１２０】
ＴＳ遅延補正情報が１フレーム以内でなければ（ステップＳ１５０８Ｂ）、現在視聴対象となっている第１の受信系統の受信判定を行い（ステップＳ１５１２）、第１の受信系統がエラーフリーと判定した場合（ステップＳ１５１２Ｂ）、第１の受信系統のＴＳパケットデータにデコード処理を行い（ステップＳ１５１４）、表示部に出力する（ステップＳ１５１５）。一方、第１の受信系統が安定と判定した場合（ステップＳ１５１２Ａ）、制御部１１０３からの受信品質情報やＴＳ品質情報を基に、ＴＳ遅延量検出部１２０１の選択処理部１４０５おいて、パケット単位でＴＳパケットを選択し、ＴＳパケットデータの出力を切り替える（ステップＳ１５１３）。切り替え生成されたＴＳパケットデータにデコード処理を行い（ステップＳ１５１４）、表示部に出力する（ステップＳ１５１５）。また、第１の受信系統がエラーと判定した場合（ステップＳ１５１２Ｃ）、第２の受信系統の受信判定を行う（ステップＳ１５１６）。ステップＳ１５１６における判定がエラーフリーと判定した場合（ステップＳ１５１６Ａ）、視聴対象となる第１の受信系統の選局設定において、周波数ｆａをｆｎｉｔ（ｆｎｏｗがｆｎｉｔとなる）（ステップＳ１５１７）とし、ステップＳ１５０１へ戻る。また、ステップＳ１５１６の判定がエラーと判定した場合（ステップＳ１５１６Ｂ）、受信不可（ステップＳ１５１７）となるため、受信階層の強階層への切り替えや、受信系統に用いるアンテナブランチ数の変更等の処理が必要となる。
【０１２１】
なお、ステップＳ１５０６、ステップＳ１５１２の受信判定結果として示す安定とは、例えば一定時間内の信号品質がエラーフリーではなく、許容される一定のエラー量を含んでいる受信品質としている。
図２６は、複数の中継局から送信される信号がそれぞれ受信できるエリアにおいて、異なる周波数で同一ＴＳパケットデータから構成された放送信号を同時に受信する際に中継局の受信エリアと移動体のルート上に置ける受信状況の様子を表す模式図である。受信機がルートＡを地点Ａから地点Ｄへ向かって進む場合、地点Ａは、中継局Ａの放送波が弱階層（フルセグ）で受信可能な受信エリアであるが、中継局Ｂの放送波は受信されない。受信機は、中継局Ａの放送波より、ＮＩＴ情報を抽出し、中継局情報（中継局Ｂの周波数情報）を取得する。中継局情報を基に、第２の受信系統の選局周波数を設定し、中継局サーチを行う。従って地点Ａでは、中継局Ａの放送波を受信し、視聴することが可能である。
【０１２２】
次に地点Ｂでは、中継局Ａの放送波は第１の受信系統を用いたダイバーシティ合成により受信可能と受信エリアであり、また、中継局Ｂの放送波は第２の受信系統を用いたダイバーシティ合成により、強階層（ワンセグ）のみ受信可能なエリアである。受信機は、中継局Ａの放送波から抽出されたＮＩＴ情報の対象となる周波数が、中継局Ｂの周波数に存在することが判別できる。従って、地点Ｂでは、中継局Ａの放送波を第１の受信系統を用いたダイバーシティ合成により、視聴することが可能である。また、中継局ＡのＮＩＴ情報が中継局Ｂの周波数であることが判明できる。
【０１２３】
地点Ｃでは、中継局Ａの放送波は第１の受信系統を用いたダイバーシティ合成により、エラーフリーではない受信が可能なエリアである。また、中継局Ｂの放送波は第２の受信系統を用いたダイバーシティ合成により、エラーフリーではない受信が可能なエリアである。受信機は、第１の受信系統と第２の受信系統のそれぞれのＴＳパケットデータを用いて、ＴＳパケットデータの遅延時間を抽出、第１の受信系統と第２の受信系統のＯＦＤＭ信号のシンボル誤差量を１フレーム以内に補正し、さらにＯＦＤＭ信号間のキャリア−シンボル位置誤差の検出・補正を行い、全てのＯＦＤＭ信号のタイミングを一致させ、中継局間のダイバーシティ合成により、受信する。従って、地点Ｃでは、中継局Ａ、中継局Ｂの放送波を用いたダイバーシティ合成によって視聴することが可能である。
【０１２４】
地点Ｄでは、中継局Ａの放送波は第１の受信系統を用いたダイバーシティ合成により、強階層（ワンセグ）のみ受信が可能なエリアである。また、中継局Ｂの放送波は第２の受信系統を用いたダイバーシティ合成により受信が可能なエリアである。受信機は、２つの受信系統の状況より、視聴対象とする中継局が中継局Ａから中継局Ｂへ変わることが判別できる。従って、地点Ｄでは、中継局Ｂの放送波を第２の受信系統を用いたダイバーシティ合成により、受信することが可能である。また、中継局Ａの放送波を第１の受信系統を用いたダイバーシティ合成による受信し、後に受信判定が完全にエラーとなれば、受信機は第１の受信系統の選局を中継局Ｂに設定し、中継局ＢｎｏＮＩＴ情報を取得し、次の中継局のサーチを行う。
【０１２５】
地点ＥはルートＢを進んだ場合である。地点Ｅでは中継局Ａ、中継局Ｂともに受信エリアを外れるので、受信エラーとなる。従って、受信階層の強階層への切り替えや、受信系統に用いるアンテナブランチ数の変更等の処理が必要となる。
次に、本発明の実施例２において、複数の中継局が存在する際の、図１６のデジタル放送受信装置１１００の動作の一例について、図２７および図２８に示すフローチャートを用いて説明する。
【０１２６】
デジタル放送受信装置１１００が、周波数ｆｎｏｗが受信可能なエリアに位置する際（ステップＳ１６００）、第１の受信系統の選局設定において周波数ｆａをｆｎｏｗに、第２の受信系統の選局設定において、周波数ｆｂをｆｎｏｗとする（ステップＳ１６０１）。第１の受信系統、第２の受信系統がそれぞれ、復調処理、ダイバーシティ合成、復号処理を行い（ステップＳ１６０２）、復号された受信系統、例えば第１の受信系統のＴＳパケットデータに含まれる情報よりＮＩＴ情報を取得し、ＮＩＴ情報から現在視聴中の放送波と同じ中継局情報を抽出する（ステップＳ１６０３）。ここで、抽出される中継局情報が複数検出される場合（中継局周波数：ｆｎｉｔ（ｎ）、ｎ＝１,２，・・・ｎ）、第２の受信系統の選局設定において、周波数ｆｂを最初に検出された中継局ｆｎｉｔ（１）に選局設定し（ステップＳ１６０４）、復調処理、ダイバーティ合成、復号処理を行い（ステップＳ１６０５）、第２の受信系統の受信判定を行う（ステップＳ１６０６）。ステップＳ１６０６において、エラーと判定した場合（ステップＳ１６０６Ｂ）、次の中継局を選択し（ステップＳ１６０８）、全ての中継局の受信判定が完了しているか、していないかの判定を行う（ステップＳ１６０９）。ステップＳ１６０９において、全ての中継局の判定が終わっていない場合（ステップＳ１６０９Ａ）、ステップＳ１６０４に戻り次の中継局の再度選局設定、復調処理、ダイバーシティ合成、復号処理と行う。一方、ステップＳ１６０６において安定と判定した場合（ステップＳ１６０６Ａ）、第１の受信系統のＴＳパケットデータと第２受信系統のＴＳパケットデータのＴＳパケットデータ間の時間誤差情報であるＴＳ遅延補正情報を抽出すし（ステップＳ１６０７）つぎの中継局の選択を行う（Ｓ１６０８）。ステップ１６０９において全ての中継局の判定が完了した場合（ステップＳ１６０９Ｂ）、受信判定が安定と判定され、且つ、ＴＳパケットデータの時間差が最短となる中継局を選局設定し、（ステップＳ１６１０）ＴＳ遅延情報が1フレーム以内かの判定を行う（ステップＳ１６１１）。
ステップＳ１６１１において判定が１フレーム以内であれば（ステップＳ１６１１Ａ）、ＴＳ遅延補正情報を用いて、双方のＯＦＤＭ信号の時間誤差量を１フレーム時間範囲内に収まるように補正処理を行う（ステップＳ１６１２）。次に、１フレーム時間範囲内に収まった双方のＯＦＤＭ信号のキャリア−シンボル位置誤差の検出・補正を行い、全てのＯＦＤＭ信号のタイミングを一致させる（ステップＳ１６１３）。タイミングが一致した双方のＯＦＤＭ信号について、復調処理、ダイバーシティ合成、復号処理を行い（ステップＳ１６１４）、出力されるＴＳパケットデータにデコード処理を行い（ステップＳ１６１５）、表示部に出力する（ステップＳ１６１６）。
ステップＳ１６１１において判定が1フレーム以内でなければ（ステップＳ１６１１Ｂ）、双方のＴＳパケットデータのタイミング調整を行い（ステップＳ１６１７）、現在視聴対象となっている第１の受信系統の受信判定を行う（ステップＳ１６１８）。ステップＳ１６１８においてエラーフリーと判定した場合（ステップＳ１６１８Ｂ）、第１の受信系統のＴＳパケットデータにデコード処理を行い（ステップＳ１６１５）、表示部に出力する（ステップＳ１６１６）。ステップＳ１６１８において安定と判定した場合（ステップＳ１６１８Ａ）、制御部１１０３からの受信品質情報やＴＳ品質情報を基に、ＴＳ遅延量検出部１２０１の選択処理部１４０５おいて、パケット単位でＴＳパケットを選択し、ＴＳパケットデータの出力を切り替える（ステップＳ１６１９）。切り替え生成されたＴＳパケットデータにデコード処理を行い（ステップＳ１６１５）、表示部に出力する（ステップＳ１６１６）。また、ステップＳ１６１８においてエラーと判定した場合（ステップＳ１６１８Ｃ）、第２の受信系統の受信判定（ステップＳ１６２０）を行う。ステップＳ１６２０においエラーフリーと判定した場合（ステップＳ１６２０Ａ）、視聴対象となる第１の受信系統の選局設定において、周波数ｆａをｆｎｉｔ（ｆｎｏｗがｆｎｉｔとなる）とし（ステップＳ１６２１）、ステップＳ１６０１へ戻る。また、ステップＳ１６２０においてエラーと判定した場合（ステップＳ１６２０Ｂ）、受信不可（ステップＳ１６２２）となるため、受信階層の強階層への切り替えや、受信系統に用いるアンテナブランチ数の変更等の処理が必要となる。
【０１２７】
なお、ステップＳ１６０６、ステップＳ１６１８の受信判定結果として示す安定とは、例えば一定時間内の信号品質がエラーフリーではなく、許容される一定のエラー量を含んでいる受信品質としている。
【０１２８】
なお、ＮＩＴ情報より複数の中継局情報が抽出された場合、ステップＳ１６１０にて対象となる中継局の受信判定結果が安定となり、且つ、ＴＳ遅延補正情報が最短となる中継局を選局することで、ＴＳパケットデータの遅延時間調整時に必要となるメモリ量を最小限に抑えることが可能である。
【０１２９】
なお、ＴＳ遅延補正情報が大きい場合、例えばＩＳＤＢ−Ｔ放送規格において、階層伝送されている際、ＴＳ遅延補正情報が大きい場合、弱電界での受信を可能とする放送波（ワンセグ放送）に関してのみ、時間調整を行ってもよい。
【０１３０】
なお、第１の受信系統と第２の受信系統で得られたＴＳパケットデータのうち、各階層
伝送のＴＳパケットデータが同じコンテンツであるかどうか、確認してもよい。
【０１３１】
なお、この例では、ＴＳ遅延補正情報が最短となる中継局を優先し、選局設定していたが、例えば受信品質情報、ＴＳ品質情報を優先してもよい。また、回路規模に応じてＴＳ遅延補正情報の制限を決めても良い。
なお、本発明の実施例１では、２本のアンテナから構成される第１の受信系統と、２本のアンテナから構成される第２の受信系統で、視聴用の受信および中継局検索処理の受信を行っていたが、例えば受信品質情報やＴＳ品質情報に応じて、それぞれの受信系統のアンテナ本数の割り振りを、例えば２：２から３：１、１：３と制御してもよい。
【０１３２】
例えば、図２９は受信系統のアンテナ本数の割り振りと受信性能品質の一例を示しており、縦軸に受信性能品質、横軸は受信機が中継局Ａから中継局Ｂへ移動する際の通過時間を、実線が中継局Ａを各アンテナ本数で受信した場合の受信性能品質グラフ、破線が中継局Ｂを各アンテナ本数で受信した場合の受信性能品質グラフであり、図中（１）が１本のアンテナを用いた受信、（２）が２本のアンテナを用いた受信、（３）が３本のアンテナを用いた受信であることをそれぞれ図示している。現在受信中の中継局Ａを１本のアンテナでエラーの無い状態で受信可能な場合、３本のアンテナを中継局Ｂのサーチや受信に使用する。１本のアンテナでの中継局Ａの受信が困難な場合、２本のアンテナを用いた受信に切り替え、中継局Ｂの受信に割り振っているアンテナを２本に変更する。時間Ｔの地点で中継局Ａと中継局Ｂの受信品質が入れ替わるため、中継局Ａを受信するアンテナを２本から１本とし、中継局Ｂを受信するアンテナを２本から３本へと変更する。つまり、受信性能品質等に応じて、それぞれの受信系統のアンテナ本数を割り振ることにより、高品質なＯＦＤＭ信号を用いたダイバーシティ合成が可能となる。
また、複数の中継局が検出された場合、ＴＳ遅延補正情報を加味したアンテナ本数の割り振りを行うことで、さらに高精度なダイバーシティ合成が可能となる。
このように本発明によれば、ＭＦＮ環境において異なる中継局の放送を受信する際、２つのＴＳパケットデータ間の時間誤差を用いることで、ＯＦＤＭ信号の段階でタイミングを揃えることが可能となり、ＭＦＮ中継局とのダイバーシティ合成を行い、受信性能を改善するデジタル放送受信装置を実現することが可能となる。
≪補足≫
本発明は上記の実施の形態で説明した内容に限定されず、本発明の目的とそれに関連又は付随する目的を達成するためのいかなる形態においても実施可能であり、例えば、以下であってもよい。
（１）実施例１では、遅延調整処理部１６３が２つのＴＳパケットそれぞれに含まれるcontinuty_counterを利用して各ＴＳパケットのパケット列を特定し、特定の結果パケット列が同一のＴＳパケットの受信タイミング差を求めるとしたが、これに限られない。
例えば、各ＴＳパケットのデータ（例えば、ペイロード部分）を解析して同一かどうかを判定し、同一と判定したＴＳパケット同士の受信タイミング差を求めるとしてもよい。また、この同一性判定のために、直前に受信したＴＳパケットをメモリ１６４内にバッファリングするとしてもよい。
実施例２のデジタル放送受信装置１１００の合成処理部１１０１では、キャリア−シンボル位置誤差検出・補正処理部１３０４でキャリア方向とシンボル方向の位置誤差検出と補正処理を行うが、continuity_counterを用いることで２つのＯＦＤＭ信号のフレーム誤差を検出し、上述のように双方の各フレーム毎の先頭が検出できていれば、キャリア−シンボルのタイミングが一致するため、この処理は必須ではない。
（２）実施例２では、キャリア−シンボル位置誤差量の検出方法として、ＳＰ信号やＴＭＣＣ信号を用いるとして説明したが、ＳＰ信号は特に必須というわけではない。
ＴＭＣＣ信号を用いれば各フレーム毎の先頭を検出することができるし、また、上述のように双方のＯＦＤＭ信号の時間誤差量を１フレーム時間範囲内に収めることができるからである。
（３）実施例１，２では、２つの受信系統のタイミング差を調整する例を中心に説明したが、２つに限らず３つ４つなど任意の複数の受信系統を調整の対象とし得る。
（４）実施例１のデジタル放送受信装置１００では、合成処理部１１４を備えていたが、この合成処理部１１４は必須ではない。
（５）実施例１，２では、デジタル放送の放送方式の一例としてＩＳＤＢ−Ｔを挙げて説明したが、これに限らずＤＶＢ−Ｔ（Digital Video Broadcasting - Terrestrial）やＤＡＢ（Digital Audio Broadcast）などの各種放送方式に適用することも可能である。
＜補足２＞
（１）本実施の形態に係るデジタル放送受信装置は、アンテナを介して受信したＯＦＤＭ信号から、選局された周波数帯域のＯＦＤＭ信号をそれぞれ取り出す複数のチューナ部と、前記複数のチューナ部から入手した複数のＯＦＤＭ信号に対し、それぞれ復調処理を行う復調処理部と、前記複数の復調処理部から出力される等化処理後の信号に対し、それぞれ誤り訂正処理を行う復号処理部と、前記復号処理部より出力される複数のＴＳパケットデータのうち、表示処理部に出力するＴＳパケットデータを選択して、出力するＴＳ処理部とを備え、前記ＴＳ処理部は、少なくとも２つの受信系統から入手するＴＳパケットデータ間の入手タイミング差を検出し、検出した入手タイミング差に応じてＴＳパケットデータの一部を遅延させることで、前記少なくとも２つの受信系統から入手したＴＳパケットデータの処理タイミングを一致させ、出力するＴＳパケットデータを選択するとしている。
（２）また、前記ＴＳ処理部は、前記少なくとも２つの受信系統から入手したＴＳパケットデータの各タイミング情報を検出する検出部と、前記検出部により検出されたタイミング情報に基づいて、入力されたＴＳパケットデータの少なくともいずれか一方の遅延調整を行う遅延調整処理部と、前記遅延調整処理部により遅延調整が行われたＴＳパケットデータに基づいて、表示処理部に出力するＴＳパケットデータを選択する選択処理部とを備えるとしても構わない。
（３）また、前記タイミング情報は、同期信号であるＴＳ＿Ｓｙｎｃ信号であるとしても構わない。
（４）本実施の形態に係るデジタル放送受信装置は、アンテナを介して受信したＯＦＤＭ信号から、選局された周波数帯域のＯＦＤＭ信号をそれぞれ取り出す複数のチューナ部と、前記複数のチューナ部から入手した複数のＯＦＤＭ信号に対し、それぞれ復調処理を行う復調処理部と、前記複数の復調処理部から出力される等化処理後の信号を入手し、重み付け比を算出した上で信号の合成を行うダイバーシティ合成処理部と、前記ダイバーシティ合成結果に対し、誤り訂正処理等の復号処理を行う復号処理部と、前記復号処理部より出力されるＴＳパケットデータの処理を行うＴＳ処理部とを備え、前記ＴＳ処理部は、少なくとも２つの受信系統からのＴＳパケットデータ間の入手タイミング差を算出し、前記ダイバーシティ合成処理部にフィードバックし、前記ダイバーシティ合成処理部では、フィードバックされたＴＳパケットデータの入手タイミング差の情報を用いて、複数のＯＦＤＭ信号間の入手タイミング差を補正した上で信号を合成することを特徴とする。
（５）また、前記ＴＳ処理部では、ＴＳパケットデータ間のタイミング差がＯＦＤＭフレーム長以下であるかを判定し、前記ダイバーシティ合成処理部では、入手した信号の受信タイミング差がＯＦＤＭフレーム長より短いタイミング差に収まるか否かの情報を得て、信号の受信タイミング差がＯＦＤＭフレーム長より短ければシンボルおよびキャリア単位で信号の受信タイミング差を調整した上で合成処理を行うとしても構わない。
（６）本実施の形態に係るデジタル放送受信方法は、複数のチューナ部において、アンテナを介して受信したＯＦＤＭ信号から、選局された周波数帯域のＯＦＤＭ信号をそれぞれ取り出すチューニングステップと、複数の復調処理部において、前記複数のチューナ部から入手した複数のＯＦＤＭ信号に対し、それぞれ復調処理を行う復調処理ステップと、復号処理部において、前記複数の復調処理部から出力される等化処理後の信号に対し、それぞれ誤り訂正処理を行う復号処理ステップと、ＴＳ処理部において、前記復号処理部より出力される複数のＴＳパケットデータのうち、表示処理部に出力するＴＳパケットデータを選択して、出力するＴＳ処理ステップと含むデジタル放送受信方法であって、前記ＴＳ処理ステップでは、少なくとも２つの受信系統から入手するＴＳパケットデータ間の入手タイミング差を検出し、検出した入手タイミング差に応じて入手したＴＳパケットデータの一部を遅延させることで、前記少なくとも２つの受信系統から入手したＴＳパケットデータの処理タイミングを一致させ、出力するＴＳパケットデータを選択することを特徴とする。
（７）本実施の形態に係るデジタル放送受信装方法は、複数のチューナ部において、アンテナを介して受信したＯＦＤＭ信号から、選局された周波数帯域のＯＦＤＭ信号をそれぞれ取り出すチューニングステップと、複数の復調処理部において、前記複数のチューナ部から入手した複数のＯＦＤＭ信号に対し、それぞれ復調処理を行う復調処理ステップと、ダイバーシティ合成処理部において、前記複数の復調処理部から出力される等化処理後の信号を入手し、重み付け比を算出した上で信号の合成を行うダイバーシティ合成処理ステップと、復号処理部において、前記ダイバーシティ合成結果に対し誤り訂正処理等の復号処理を行う復号処理ステップと、ＴＳ処理部において、前記復号処理部より出力されるＴＳパケットデータの処理を行うＴＳ処理ステップとを含むデジタル放送受信方法であって、前記ＴＳ処理ステップでは、少なくとも２つの受信系統からのＴＳパケットデータ間の入手タイミング差を算出し、前記ダイバーシティ合成処理部にフィードバックし、前記ダイバーシティ合成処理ステップでは、フィードバックされたＴＳパケットデータの入手タイミング差の情報を用いて、複数のＯＦＤＭ信号間の入手タイミング差を補正した上で信号を合成することを特徴とする。
【産業上の利用可能性】
【０１３３】
本発明にかかるデジタル放送受信装置は、家庭用や車両等の移動体に搭載されるデジタル放送受信装置として利用することができる。デジタル放送受信装置としての種類、質量、外観、形状、性能等は問わない。
【符号の説明】
【０１３４】
１００  デジタル放送受信装置
１１０  アンテナ部
１１１  コネクタ
１１２  チューナ部
１１３  復調処理部
１１４  合成処理部
１１５  復号処理部
１１６  ＴＳ処理部
１１７  制御処理部
１１８  コネクタ
１１９  表示処理部
１３１  Ａ／Ｄ変換処理部
１３２  直交検波処理部
１３３  ＦＦＴ処理部
１３４  等化処理部
１４１  デインタリーブ処理部
１４２  デマッピング処理部
１４３  ビットデインタリーブ処理部
１４４  復号処理部
１４５  バイトデインタリーブ処理部
１４６  エネルギー逆拡散処理部
１４７  ＲＳ復号処理部
１４８  ＴＳ再生処理部
１５１  ＴＳ選択処理部
１５２  ＴＳデコード処理部
１５３  ＭＰＥＧデコード処理部
１６１  コネクタ
１６２  基準パケット検出処理部
１６３  遅延調整処理部
１６４  メモリ
１６５  選択処理部
１６６  コネクタ
１６７  コネクタ
１１００  デジタル放送受信装置
１１０１  合成処理部
１１０２  ＴＳ処理部
１１０３  制御処理部
１２０１  ＴＳ遅延量検出部
１２０２  ＴＳデコード処理部
１２０３  ＭＰＥＧデコード処理部
１３０１  コネクタ
１３０２  ダイバーシティ合成部
１３０３  ＴＳ遅延量補正処理部
１３０４  キャリア−シンボル位置誤差検出・補正処理部
１３０５  メモリ
１３０６  コネクタ
１４０１  コネクタ
１４０２  基準パケット検出処理部
１４０３  遅延調整処理部
１４０４  メモリ
１４０５  選択処理部
１４０６  切替処理部
１４０７  コネクタ
１４０８  コネクタ
【図１】
0005606525.tif 000002
【図２】
0005606525.tif 000003
【図３】
0005606525.tif 000004
【図４】
0005606525.tif 000005
【図５】
0005606525.tif 000006
【図６】
0005606525.tif 000007
【図７】
0005606525.tif 000008
【図８】
0005606525.tif 000009
【図９】
0005606525.tif 000010
【図１０】
0005606525.tif 000011
【図１１】
0005606525.tif 000012
【図１２】
0005606525.tif 000013
【図１３】
0005606525.tif 000014
【図１４】
0005606525.tif 000015
【図１５】
0005606525.tif 000016
【図１６】
0005606525.tif 000017
【図１７】
0005606525.tif 000018
【図１８】
0005606525.tif 000019
【図１９】
0005606525.tif 000020
【図２０】
0005606525.tif 000021
【図２１】
0005606525.tif 000022
【図２２】
0005606525.tif 000023
【図２３】
0005606525.tif 000024
【図２４】
0005606525.tif 000025
【図２５】
0005606525.tif 000026
【図２６】
0005606525.tif 000027
【図２７】
0005606525.tif 000028
【図２８】
0005606525.tif 000029
【図２９】
0005606525.tif 000030
【図３０】
0005606525.tif 000031
【図３１】
0005606525.tif 000032